(57)【特許請求の範囲】
【請求項１】
電子ペンによって読み取り可能な位置座標を示すコード化パターンが形成された記入用帳票を用いるとともに、当該記入用帳票における所定の記入欄に、前記電子ペンによってユーザが記入した事項を、所定の申し込みを行う申し込みデータとして取得するデータ入力システムであって、
前記電子ペンによって前記記入用帳票への記入が実行された際に、当該電子ペンによって読み取られたコード化パターンに基づいて算出された前記記入用帳票上の座標情報を、受信する受信手段と、
表示手段に表示された前記記入用帳票のフォーマットに対応するフォーマット画像上に、前記受信した座標情報を描画しつつ、当該座標情報に基づいて前記電子ペンによる記入が実行された前記記入用帳票上の記入欄を認識する描画処理手段と、
前記フォーマット画像を表示する表示領域を少なくとも有するとともに前記表示手段に表示されるアプリケーション画面と連動させて、前記記入用帳票における記入に関して前記ユーザを誘導するための誘導処理を行うとともに、前記認識された記入欄である認識記入欄に基づいて前記受信した座標情報によって当該認識記入欄内に形成される前記電子ペンのストロークをユーザデータとして取得する誘導制御手段と、
を備え、
前記誘導制御手段は、
前記認識記入欄が前記ユーザの署名を記入するための第１署名記入欄の場合に、前記表示手段に表示されるアプリケーション画面と連動させつつ、前記受信した座標情報に基づいて前記受信した座標情報によって当該認識記入欄内に形成される前記電子ペンのストロークを第１署名情報として取得し、
前記認識記入欄が前記第１署名記入欄とは異なる記入欄であって前記ユーザの署名を記入するための第２署名記入欄の場合に、前記表示手段に表示されるアプリケーション画面と連動させつつ、前記受信した座標情報に基づいて前記受信した座標情報によって当該認識記入欄内に形成される前記電子ペンのストロークを第２署名情報として取得し、
前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させることを特徴とするデータ入力システム。
【請求項２】
請求項１に記載のデータ入力システムにおいて、
前記誘導制御手段は、
前記受信手段によって前記第１署名情報に属する座標情報とともに受信された電子ペンが前記記入用帳票に当接した際の記入開始時刻と離脱した際の記入終了時刻に基づいて、前記電子ペンによって前記第１署名記入欄への第１署名の記入に要した時間を第１署名記入時間として演算し、
前記受信手段によって前記第２署名情報に属する座標情報とともに受信された電子ペンが前記記入用帳票に当接した際の記入開始時刻と離脱した際の記入終了時刻に基づいて、前記電子ペンによって前記第２署名記入欄への第２署名の記入に要した時間を第２署名記入時間として演算し、
前記第１署名記入時間と前記第２署名記入時間の差分を演算し、
前記演算された第１署名記入時間と前記第２署名記入時間の差分が予め定められた閾値以下である場合に、前記認識記入欄として前記第１署名記入欄が認識された後で、前記認識記入欄として前記第２署名記入欄が認識された前までに、取得した前記ユーザデータを申し込みデータとして確定させる、データ入力システム。
【請求項３】
請求項２に記載のデータ入力システムにおいて、
前記誘導制御手段は、前記演算された第１署名記入時間と前記第２署名記入時間の差分が予め定められた閾値より大きい場合に、前記取得した第２署名情報を削除して前記第２署名領域への再記入を誘導する、データ入力システム。
【請求項４】
請求項２または３に記載のデータ入力システムにおいて、
前記算出された第１署名記入時間と前記第２署名記入時間の差分が予め定められた閾値より大きい場合に、前記取得したユーザデータを削除し、前記記入用帳票への再記入を誘導する、データ入力システム。
【請求項５】
請求項１に記載のデータ入力システムにおいて、
前記誘導制御手段は、
前記第１署名情報における前記電子ペンのストローク形状と前記第２署名情報における前記電子ペンのストローク形状との同一性を判断し、
前記第１署名と前記第２署名のストローク形状に同一性があると判断された場合に、前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させることを特徴とするデータ入力システム。
【請求項６】
請求項５に記載のデータ入力システムにおいて、
前記誘導制御手段は、前記第１署名と前記第２署名のストローク形状の同一性が否定された場合に、前記取得した第２署名情報を削除して前記第２署名記入欄への再記入を誘導する、データ入力システム。
【請求項７】
請求項５または６に記載のデータ入力システムにおいて、
前記誘導制御手段は、前記第１署名と前記第２署名のストローク形状の同一性が否定された場合に、前記取得したユーザデータを削除し、前記記入用帳票への再記入を誘導する、データ入力システム。
【請求項８】
請求項１〜７の何れか一項に記載のデータ入力システムにおいて、
前記誘導制御手段は、前記認識記入欄が前記ユーザの個人情報を選択入力するための選択入力用記入欄の場合に、前記表示手段に表示されるアプリケーション画面と連動させつつ、前記受信した座標情報に従って複数の前記個人情報の中から一の個人情報を選択し、前記選択した個人情報を前記ユーザデータとして取得する、データ入力システム。
【請求項９】
請求項８に記載のデータ入力システムにおいて、
前記選択入力用記入欄には、前記ユーザによって前記個人情報の区分を選択させるために用いる第１記入欄と前記ユーザによって前記選択された区分に属する複数の前記個人情報の中から一の前記個人情報を選択させるために用いる第２記入欄と前記ユーザによって前記選択された個人情報を前記ユーザデータとして確定させて取得させるための第３記入欄とが含まれ、
前記誘導制御手段は、
前記認識記入欄が第１記入欄の場合に、前記表示手段に表示されるアプリケーション画面と連動させつつ、前記受信した座標情報に従って前記個人情報の区分を選択し、
前記認識記入欄が第２記入欄の場合に、前記表示手段に表示されるアプリケーション画面と連動させつつ、前記受信した座標情報に従って前記選択された個人情報の区分に属する複数の前記個人情報の中から一の前記個人情報を選択し、
前記認識記入欄が第３記入欄の場合に、前記表示手段に表示されるアプリケーション画面と連動させつつ、前記受信した座標情報に従って前記選択された個人情報をユーザデータとして取得する、データ入力システム。
【請求項１０】
請求項１乃至９の何れか一項に記載のデータ入力システムにおいて、
前記記入用帳票への記入が実行される場所と離隔された場所に固定設置されたデータベースと、
通信回線を介して前記確定手段によって確定された申込データを前記データベースに送信する通信手段と、
を更に備えるデータ入力システム。
【請求項１１】
電子ペンによって読み取り可能な位置座標を示すコード化パターンが形成された記入用帳票を用いるとともに、当該記入用帳票における所定の記入欄に、前記電子ペンによってユーザが記入した事項を、所定の申し込みを行う申し込みデータとして取得する、コンピュータを用いたデータ入力プログラムであって、
前記コンピュータを、
前記電子ペンによって前記記入用帳票への記入が実行された際に、当該電子ペンによって読み取られたコード化パターンに基づいて算出された前記記入用帳票上の座標情報を、受信する受信手段、
表示手段に表示された前記記入用帳票のフォーマットに対応するフォーマット画像上に、前記受信した座標情報を描画しつつ、当該座標情報に基づいて前記電子ペンによる記入が実行された前記記入用帳票上の記入欄を認識する描画処理手段、
前記フォーマット画像を表示する表示領域を少なくとも有するとともに前記表示手段に表示されるアプリケーション画面と連動させて、前記記入用帳票における記入に関して前記ユーザを誘導するための誘導処理を行うとともに、前記認識された記入欄である認識記入欄に基づいて前記受信した座標情報によって当該認識記入欄内に形成される前記電子ペンのストロークをユーザデータとして取得する誘導制御手段、
として機能させるとともに、
前記コンピュータを、
前記認識記入欄が前記ユーザの署名を記入するための第１署名記入欄の場合に、前記表示手段に表示されるアプリケーション画面と連動させつつ、前記受信した座標情報に基づいて前記受信した座標情報によって当該認識記入欄内に形成される前記電子ペンのストロークを第１署名情報として取得し、
前記認識記入欄が前記第１署名記入欄とは異なる記入欄であって前記ユーザの署名を記入するための第２署名記入欄の場合に、前記表示手段に表示されるアプリケーション画面と連動させつつ、前記受信した座標情報に基づいて前記受信した座標情報によって当該認識記入欄内に形成される前記電子ペンのストロークを第２署名情報として取得し、
前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させるように前記誘導制御手段として機能させることを特徴とするデータ入力プログラム。
【発明の詳細な説明】
【技術分野】
【０００１】
本発明は、位置座標を示すコード化パターンが形成された記入用帳票を用いて個人情報を入力するデータ入力システムの技術に関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。このアノトペンは、所定のアルゴリズムによりパターン化された位置座標を示すドットパターンが印刷された専用紙（以下、単に「専用紙」という。）とともに使用される。
【０００３】
具体的には、このアノトペンは、ペン先部に、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。また、ユーザが専用紙上にアノトペンで文字等を書いた場合に、または、専用紙上に図案化されている画像にチェックマークを記入した場合に、ペンの移動に伴って小型カメラが専用紙に印刷されたドットパターンが撮像され、プロセッサによって演算された連続する位置座標から、ユーザが記入した文字、記号または図形などの情報（以下、「記入情報」という。）が取得されるようになっている。そして、この記入情報が、データ通信ユニットによりアノトペンから近くのパーソナルコンピュータや携帯電話などの端末装置に送信されるようになっている（例えば、特許文献１参照）。
【０００４】
最近では、このような電子ペンを利用し、データの入力を行うものが知られており、特に、インターネットにおける電子申請（以下、「Ｗｅｂ申請」ともいう。）について、電子ペンを利用しつつ当該電子申請に係るデータの入力を行うシステムが知られている（例えば、特許文献２）。このシステムは、位置座標を示すドットパターンが重畳的に印刷された電子ペン用帳票（契約書）に電子ペンによって記入された情報をデータ化し、このデータ化された情報をサーバで管理するようになっている。
【０００５】
一方、このような電子ペンを用いたデータ入力システムにおいて、当該電子ペンを用いて所定事項を記入する際に、ユーザの所定事項の記入をアシストするものが知られている。例えば、このシステムとしては、記入漏れや記入ミスを防止するために、または、ユーザの容易な記入をサポートするために、未記入項目または訂正項目について強調表示をするシステム（例えば、特許文献３または４）、入力の対象となっている項目について強調表示するシステム（例えば、特許文献５）、及び、次に記入すべき項目を強調表示または音声ガイダンスを行うシステム（例えば、特許文献６）などが知られている。
【先行技術文献】
【特許文献】
【０００６】
【特許文献１】特表２００３−５１１７６１号公報
【特許文献２】特開２００７−１９９９３１号公報
【特許文献３】特開２００４−２５９００９号公報
【特許文献４】特開２００４−１２７１９７号公報
【特許文献５】特開２００１−１５０７５９号公報
【特許文献６】特開平１１−２４９７９５号公報
【発明の概要】
【発明が解決しようとする課題】
【０００７】
しかしながら、特許文献２に記載のデータ入力システムにあっては、電子ペン用帳票に所定の事項を記入するための署名領域が設けられており、当該署名領域に記入された記載内容を電子署名として用いることができるものの、電子ペン用帳票に所定の事項を記入したユーザと電子署名をしたユーザの同一性及び記入した事項の有効性を確認することについては言及がない。
【０００８】
一方、特許文献３乃至６に記載のデータ入力システムにあっては、ユーザに対して正確に入力すべき項目についてサポートを行うものであり、電子ペン用帳票に所定の事項を記入したユーザと電子署名をしたユーザの同一性及び記入した事項の有効性については言及されていない。
【０００９】
本発明は、上記課題を解決するためになされたものであり、その目的は、記入用帳票に記入された所定事項を記入したユーザと署名をしたユーザの同一性を確保しつつ、当該所定の事項の信頼度を向上させることが可能なデータ入力システム及びデータ入力プログラムを提供することにある。
【課題を解決するための手段】
【００１０】
（１）上記課題を解決するため、本発明のデータ入力システムは、電子ペンによって読み取り可能な位置座標を示すコード化パターンが形成された記入用帳票を用いるとともに、当該記入用帳票における所定の記入欄に、前記電子ペンによってユーザが記入した事項を、所定の申し込みを行う申し込みデータとして取得するデータ入力システムであって、前記電子ペンによって前記記入用帳票への記入が実行された際に、当該電子ペンによって読み取られたコード化パターンに基づいて算出された前記記入用帳票上の座標情報を、受信する受信手段と、表示手段に表示された前記記入用帳票のフォーマットに対応するフォーマット画像上に、前記受信した座標情報を描画しつつ、当該座標情報に基づいて前記電子ペンによる記入が実行された前記記入用帳票上の記入欄を認識する描画処理手段と、前記フォーマット画像を表示する表示領域を少なくとも有するとともに前記表示手段に表示されるアプリケーション画面と連動させて、前記記入用帳票における記入に関して前記ユーザを誘導するための誘導処理を行うとともに、前記認識された記入欄である認識記入欄に基づいて前記受信した座標情報によって当該認識記入欄内に形成される前記電子ペンのストロークをユーザデータとして取得する誘導制御手段とを備え、前記誘導制御手段は、前記認識記入欄が前記ユーザの署名を記入するための第１署名記入欄の場合に、前記表示手段に表示されるアプリケーション画面と連動させつつ、前記受信した座標情報に基づいて前記受信した座標情報によって当該認識記入欄内に形成される前記電子ペンのストロークを第１署名情報として取得し、前記認識記入欄が前記第１署名記入欄とは異なる記入欄であって前記ユーザの署名を記入するための第２署名記入欄の場合に、前記表示手段に表示されるアプリケーション画面と連動させつつ、前記受信した座標情報に基づいて前記受信した座標情報によって当該認識記入欄内に形成される前記電子ペンのストロークを第２署名情報として取得し、前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させる構成を有している。
【００１１】
通常、第１署名と第２署名が同一のユーザであることにより、その間に記入された事項についても同一のユーザが記入したものであると推認することができる。したがって、本発明のデータ入力システムは、上記構成により、認識記入欄として前記第１署名記入欄が認識された後で前記認識記入欄として前記第２署名記入欄が認識された前までに取得した前記ユーザデータを申し込みデータとすることによって、記入用帳票に所定事項を記入したユーザと署名をしたユーザの同一性を確保し、申込データの信頼度を向上させることができる。特に、本発明は、個人情報などの重要性が高い情報について記入用帳票を用いることなく直接的で安易な方法によって記入用帳票における記入すべき事項のデータ化を行う場合に、記入用帳票に所定事項を記入したユーザと署名をしたユーザの同一性を確保し、申込データの信頼度を向上させることができる。
【００１２】
（２）本発明のデータ入力システムにおいては、前記誘導制御手段は、前記受信手段によって前記第１署名情報に属する座標情報とともに受信された電子ペンが前記記入用帳票に当接した際の記入開始時刻と離脱した際の記入終了時刻に基づいて、前記電子ペンによって前記第１署名記入欄への第１署名の記入に要した時間を第１署名記入時間として演算し、前記受信手段によって前記第２署名情報に属する座標情報とともに受信された電子ペンが前記記入用帳票に当接した際の記入開始時刻と離脱した際の記入終了時刻に基づいて、前記電子ペンによって前記第２署名記入欄への第２署名の記入に要した時間を第２署名記入時間として演算し、前記第１署名記入時間と前記第２署名記入時間の差分を演算し、前記演算された第１署名記入時間と前記第２署名記入時間の差分が予め定められた閾値以下である場合に、前記認識記入欄として前記第１署名記入欄が認識された後で、前記認識記入欄として前記第２署名記入欄が認識された前までに、取得した前記ユーザデータを申し込みデータとして確定させる構成を有していてもよい。
【００１３】
この構成により、本発明のデータ入力システムは、経験により自己の署名をほぼ同一の時間長によって署名するとの観点から、第１署名と第２署名の記入時間を算出して比較することによって、当該第１署名と２署名の同一性を判断することができる。したがって、本発明は、記入用帳票に所定事項を記入したユーザと署名をしたユーザの同一性を確保することがきるとともに、第１署名と第２署名のユーザの同一性をも確保することができるので、申し込みデータの信頼度を更に向上させることができる。また、本発明のデータ入力システムは、署名の同一性を容易に判断することができるので、処理の負担増加させずに、申し込みデータの信頼度を向上させることができる。
【００１４】
（３）本発明のデータ入力システムにおいては、前記誘導制御手段は、前記演算された第１署名記入時間と前記第２署名記入時間の差分が予め定められた閾値より大きい場合に、前記取得した第２署名情報を削除して前記第２署名領域への再記入を誘導する構成を有していてもよい。
【００１５】
この構成により、本発明のデータ入力システムは、第１署名と第２署名の同一性が否定された場合であっても、第２署名を再入力させることができるので、同一性の判断においてシステムエラーなどの署名自体に起因しない原因が生じた場合であっても、記入用帳票に記入した内容を無駄にすることなく利用することができる。
【００１６】
（４）また、本発明のデータ入力システムは、前記算出された第１署名記入時間と前記第２署名記入時間の差分が予め定められた閾値より大きい場合に、前記取得したユーザデータを削除し、前記記入用帳票への再記入を誘導する構成を有していてもよい。
【００１７】
この構成により、本発明のデータ入力システムは、第１署名と第２署名の同一性が否定された場合には、記入用帳票への再記入をさせることができるので、第２署名の再入力だけでは対応できない場合であっても、確実に申し込みを行うことができるとともに、一の記入用帳票を複数回利用することによって生ずる当該記入用帳票への記入が乱雑になることなく、所定事項の記入の際に用いるためだけのものではなく情報を保持するという当該記入用帳票の本来の役割をも十分に発揮させることができる。
【００１８】
（５）また、本発明のデータ入力システムは、前記誘導制御手段は、前記第１署名情報における前記電子ペンのストローク形状と前記第２署名情報における前記電子ペンのストローク形状との同一性を判断し、前記第１署名と前記第２署名のストローク形状に同一性があると判断された場合に、前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させる構成を有してもよい。
【００１９】
通常、第１署名と第２署名が同一のユーザであることにより、その間に記入された事項についても同一のユーザが記入したものであると推認することができる。したがって、本発明のデータ入力システムは、上記構成により、第１署名と２署名の同一性を判断することができるとともに、認識記入欄として前記第１署名記入欄が認識された後で前記認識記入欄として前記第２署名記入欄が認識された前までに取得した前記ユーザデータを申し込みデータとすることによって、記入用帳票に所定事項を記入したユーザと署名をしたユーザの同一性を確保することができるので、申し込みデータの信頼度を向上させることができる。特に、本発明は、個人情報などの重要性が高い情報について記入用帳票を用いることなく直接的で安易な方法によって記入用帳票における記入すべき事項のデータ化を行う場合に、署名と記入用帳票に所定事項を記入したユーザと署名をしたユーザの同一性を確保し、申し込みデータの信頼度を向上させることができる。
【００２０】
（６）また、本発明のデータ入力システムは、前記誘導制御手段は、前記第１署名と前記第２署名のストローク形状の同一性が否定された場合に、前記取得した第２署名情報を削除して前記第２署名記入欄への再記入を誘導する構成を有していてもよい。
【００２１】
この構成により、本発明のデータ入力システムは、第１署名と第２署名の同一性が否定された場合であっても、第２署名を再入力させることができるので、同一性の判断においてシステムエラーなどの署名自体に起因しない原因が生じた場合であっても、記入用帳票に記入した内容を無駄にすることなく利用することができる。
【００２２】
（７）また、本発明のデータ入力システムは、前記誘導制御手段は、前記第１署名と前記第２署名のストローク形状の同一性が否定された場合に、前記取得したユーザデータを削除し、前記記入用帳票への再記入を誘導する構成を有していてもよい。
【００２３】
この構成により、本発明のデータ入力システムは、第１署名と第２署名の同一性が否定された場合には、記入用帳票への再記入をさせることができるので、第２署名の再入力だけでは対応できない場合であっても、確実に申し込みを行うことができるとともに、一の記入用帳票を複数回利用することによって生ずる当該記入用帳票への記入が乱雑になることなく、所定事項の記入の際に用いるためだけのものではなく情報を保持するという当該記入用帳票の本来の役割をも十分に発揮させることができる。
【００２４】
（８）また、本発明のデータ入力システムは、前記誘導制御手段は、前記認識記入欄が前記ユーザの個人情報を選択入力するための選択入力用記入欄の場合に、前記表示手段に表示されるアプリケーション画面と連動させつつ、前記受信した座標情報に従って複数の前記個人情報の中から一の個人情報を選択し、前記選択した個人情報を前記ユーザデータとして取得する構成を備えてもよい。
【００２５】
この構成により、本発明のデータ入力システムは、電子ペンによる選択入力用記入欄への記入によって複数の個人情報の中から一の個人情報を選択させることができるので、データ入力を行う際に個人情報を入力しなければならない場合であっても、記入用帳票に個人情報を直接記載せずに、当該個人情報をデータとして入力させることができる。したがって、本発明は、記入用帳票への記入事項をデータ化する利便性を確保しつつ、記入用帳票からの情報の漏洩を防止して個人情報を確実に保護することができる。
【００２６】
（９）また、本発明のデータ入力システムは、前記選択入力用記入欄には、前記ユーザによって前記個人情報の区分を選択させるために用いる第１記入欄と前記ユーザによって前記選択された区分に属する複数の前記個人情報の中から一の前記個人情報を選択させるために用いる第２記入欄と前記ユーザによって前記選択された個人情報を前記ユーザデータとして確定させて取得させるための第３記入欄とが含まれ、前記誘導制御手段は、前記認識記入欄が第１記入欄の場合に、前記表示手段に表示されるアプリケーション画面と連動させつつ、前記受信した座標情報に従って前記個人情報の区分を選択し、前記認識記入欄が第２記入欄の場合に、前記表示手段に表示されるアプリケーション画面と連動させつつ、前記受信した座標情報に従って前記選択された個人情報の区分に属する複数の前記個人情報の中から一の前記個人情報を選択し、前記認識記入欄が第３記入欄の場合に、前記表示手段に表示されるアプリケーション画面と連動させつつ、前記受信した座標情報に従って前記選択された個人情報をユーザデータとして取得する構成をしてもよい。
【００２７】
この構成により、本発明のデータ入力システムは、区分選択を実行しつつ、複数の個人情報の中から一の個人情報を選択させることができるので、多くの個人情報を区分によってカテゴライズすることが可能となり、かつ、当該カテゴライズによって多くの個人情報から一の個人情報を容易にサーチ可能となる。したがって、本発明は、選択入力に用いる個人情報の選択肢を多くすることができるので、ユーザが入力を所望する個人情報と実際に選択可能な個人情報とのギャップを埋め、的確な個人情報を取得することができる。
【００２８】
（１０）また、本発明のデータ入力システムは、前記記入用帳票への記入が実行される場所と離隔された場所に固定設置されたデータベースと、通信回線を介して前記確定手段によって確定された申し込みデータを前記データベースに送信する通信手段と、を更に備える構成を有してもよい。
【００２９】
この構成により、本発明のデータ入力システムは、取得したユーザデータをデータベースに蓄積することができるので、一括でユーザデータを管理することができる。したがって、本発明は、ユーザデータの漏洩を防止することができるので、個人情報の保護を高度に行うことができる。
【００３０】
（１１）上記課題を解決するため、本発明のデータ入力プログラムは、電子ペンによって読み取り可能な位置座標を示すコード化パターンが形成された記入用帳票を用いるとともに、当該記入用帳票における所定の記入欄に、前記電子ペンによってユーザが記入した事項を、所定の申し込みを行う申し込みデータとして取得する、コンピュータを用いたデータ入力プログラムであって、前記コンピュータを、前記電子ペンによって前記記入用帳票への記入が実行された際に、当該電子ペンによって読み取られたコード化パターンに基づいて算出された前記記入用帳票上の座標情報を、受信する受信手段、表示手段に表示された前記記入用帳票のフォーマットに対応するフォーマット画像上に、前記受信した座標情報を描画しつつ、当該座標情報に基づいて前記電子ペンによる記入が実行された前記記入用帳票上の記入欄を認識する描画処理手段、前記フォーマット画像を表示する表示領域を少なくとも有するとともに前記表示手段に表示されるアプリケーション画面と連動させて、前記記入用帳票における記入に関して前記ユーザを誘導するための誘導処理を行うとともに、前記認識された記入欄である認識記入欄に基づいて前記受信した座標情報によって当該認識記入欄内に形成される前記電子ペンのストロークをユーザデータとして取得する誘導制御手段、
として機能させるとともに、前記コンピュータを、前記認識記入欄が前記ユーザの署名を記入するための第１署名記入欄の場合に、前記表示手段に表示されるアプリケーション画面と連動させつつ、前記受信した座標情報に基づいて前記受信した座標情報によって当該認識記入欄内に形成される前記電子ペンのストロークを第１署名情報として取得し、前記認識記入欄が前記第１署名記入欄とは異なる記入欄であって前記ユーザの署名を記入するための第２署名記入欄の場合に、前記表示手段に表示されるアプリケーション画面と連動させつつ、前記受信した座標情報に基づいて前記受信した座標情報によって当該認識記入欄内に形成される前記電子ペンのストロークを第２署名情報として取得し、前記認識記入欄として前記第１署名記入欄が認識された後で前記認識記入欄として前記第２署名記入欄が認識された前までに取得した前記ユーザデータを、前記取得した第１署名情報及び前記第２署名情報とともに前記申し込みデータとして確定させるように前記誘導制御手段として機能させる構成を有している。
【００３１】
この構成により、本発明は、上記プログラムをコンピュータ装置にインストールすることにより、本発明に係るデータ入力システムを構成させることができる。
【発明の効果】
【００３２】
本発明は、第１署名領域への記入が実行されたときから第２署名領域への記入が実行されるときまでに取得されたユーザデータを申し込みデータとすることによって、記入用帳票に所定事項を記入したユーザと署名をしたユーザの同一性を確保し、申込データの信頼度を向上させることができる。
【図面の簡単な説明】
【００３３】
【図１】一実施形態におけるデータ入力システムの構成を示すシステム構成図である。
【図２】データ入力システムに用いられる告知書の書式の一例である。
【図３】ドットパターンにおけるドットの配置とそのドットが変換される値との関係を説明する図である。
【図４】ドットパターンを説明するための図であり、（ａ）は、ドットパターンを模式的に示し、（ｂ）は、それに対応する情報の例を示す図である。
【図５】電子ペンの構造を示す概略図であるとともに、その機能を示すブロック図である。
【図６】コンピュータ装置の機能を示す機能ブロック図である。
【図７】告知書上の各記入欄に割り当てられたドットパターンの座標範囲を示す座標定義情報の一例である。
【図８】誘導制御処理を行うためのアプリケーション画面を説明するための図である。
【図９】ハイライト表示が実行されているアプリケーション画面の一例である。
【図１０】警告処理が実行された際のアプリケーション画面であって、注意事項の確認警告における表示の一例である。
【図１１】警告処理が実行された際のアプリケーション画面であって、病名記入／決定警告における表示の一例である。
【図１２】注意事項の確認映像の再生処理が実行された場合におけるアプリケーション画面の一例である。
【図１３】診察等履歴の有無に関する選択処理が実行された際のアプリケーション画面であって、「はい」選択欄の選択表示等の一例である。
【図１４】警告処理が実行された際のアプリケーション画面であって、「いいえ」選択欄の選択表示等の一例である。
【図１５】病名手書き入力処理が実行された際のアプリケーション画面の一例である。
【図１６】病名選択入力処理に用いる病気のカテゴリ（区分）と各カテゴリに属する病名の階層構造を示すデータ例である。
【図１７】病名選択入力処理が実行された際のアプリケーション画面であって、選択指示欄に電子ペンによるストロークが記入された場合の一例（その１）である。
【図１８】病名選択入力処理が実行された際のアプリケーション画面であって、選択指示欄に電子ペンによるストローク記入された場合の一例（その２）である。
【図１９】病名選択入力処理が実行された際のアプリケーション画面であって、病名が確定された場合の一例である。
【図２０】第２署名記入処理が実行された際のアプリケーション画面の一例である。
【図２１】署名整合判定処理が実行された際のアプリケーション画面であって、第２署名が第１署名との整合性を有することによって申込受付が完了した場合の一例である。
【図２２】署名整合判定処理が実行された際のアプリケーション画面であって、第２署名が第１署名と不整合となり、第２署名の再入力を促す場合の一例である。
【図２３】データ入力システムにおける誘導制御処理を含むデータ入力処理の動作を示すフローチャートである。
【図２４】データ入力システムにおける誘導制御処理を示すフローチャート（その１）である。
【図２５】データ入力システムにおける誘導制御処理を示すフローチャート（その２）である。
【図２６】データ入力システムにおける誘導制御処理を示すフローチャート（その３）である。
【図２７】データ入力システムにおける誘導制御処理を示すフローチャート（その４）である。
【図２８】データ入力システムにおける誘導制御処理において実行されるハイライト更新処理を示すフローチャートである。
【図２９】データ入力システムにおける誘導制御処理において実行される署名整合判定処理を示すフローチャートである。
【発明を実施するための形態】
【００３４】
以下、本発明の各実施形態について、図面を参照しながら説明する。なお、以下に説明する実施形態は、電子ペンと、当該電子ペンによって読み取り可能な位置座標を示すコード化パターン（ドットパターン）が予め形成されているとともに所定の記入欄を有する申込書（告知書）と、を用いたデータ入力システムに、本発明のデータ入力システム及びデータ入力プログラムを適用した場合の実施形態である。
【００３５】
［データ入力システムのシステム構成］
まず、図１を用いて本実施形態に係るデータ入力システム１０の構成について説明する。なお、図１は、データ入力システム１０の構成を示すシステム構成図である。
【００３６】
データ入力システム１０は、告知書４を用いて生命保険などの所定の申込を行う際に、当該告知書４に記入された事項（以下、「記入事項」という。）をデータ化するシステムである。データ入力システム１０は、図１に示すように、電子ペン１と、コンピュータ装置２と、サーバ装置３とから構成される。
【００３７】
電子ペン１は、ユーザによって使用される。また、電子ペン１は、所定の書式によって複数の記入欄が設けられた申込用紙（以下、「告知書」という。）４に記入された文字または図形などのストローク（筆跡）やタップ（電子ペン１のペン先による告知書４への軽叩）に応じて記入情報を生成する。そして、電子ペン１は、生成した記入情報をコンピュータ装置２に送信する。
【００３８】
コンピュータ装置２は、ユーザが告知書４への記入を行っている場所に隣接して用いられ、ユーザが告知書４とともにその画面を視覚することができるように用いられる。また、コンピュータ装置２は、電子ペン１によって生成された記入情報を受信し、受信した記入情報に基づいて、告知書４に対応する画像（告知書画像）に重ねて、ストロークを表示したり、ユーザの電子ペン１による告知書４の各記入欄への記入順序を誘導したり、記入された記入事項を受付データ（申し込みデータ）として記憶したりする。
【００３９】
特に、コンピュータ装置２は、ユーザが電子ペン１によって記入事項を告知書４に記入する際に、告知書４への記入事項に関する説明または補足説明の表示、記入すべき記入欄への誘導、記入ミスの訂正及び記入ミス後の正しい記入欄への誘導、及び、記入事項における記入の確認など、容易な入力を可能にし、かつ、必要な記入事項を的確に取得するための誘導制御を実行する。また、コンピュータ装置２は、告知書４に記入する個人情報（本実施形態では、診察、検査、治療及び投薬などの経歴及びその際の病名といった健康情報）に関し、電子ペン１によって告知書４に直接に手書きされた文字をデータ化する（以下、単に、「健康情報の手書き入力」または「病名の手書き入力」という。）構成を有している。さらに、コンピュータ装置２は、ユーザが病名を手書き入力することで告知書４に残したくないまたは病名を忘れてしまった等で手書き入力できない場合に、当該手書き入力に代えて、電子ペン１による告知書４への入力に基づいて、コンピュータ装置２の画面に表示される選択肢の中から健康情報を選択入力（以下、単に、「健康情報の選択入力」または「病名の選択入力」という。）させる構成を有している。
【００４０】
他方、データ入力システム１０においては、個人情報の選択入力を行うことによって個人情報が入力されたときには、告知書４の紙面上に記録が残らないので、個人情報を選択入力したユーザと申込を行うユーザの同一性を確保する必要がある。一方、一般的に、書類などにおいて二つの署名が要求されている場合に所定時間内に記入された各署名が同一のものであれば、その間に記入された記入事項についても同一のユーザが記入したものであると推認することができる。したがって、告知書４の上部と下部（すなわち、最初と最後）にユーザの署名をそれぞれ記入させるための二つの署名記入欄４０２、４１１を設け、コンピュータ装置２は、上部の署名（以下、「第１署名」という。）記入欄４０２に記入されたストロークに基づく記入情報から下部の署名（以下、「第２署名」という。）記入欄４１１に記入されたストロークに基づく記入情報まで、電子ペン１によって告知書４に記入されたストロークに基づく全ての記入情報を受信し、第１署名及び第２署名の同一性が確保された場合に、第１署名と第２署名の間に記入された記入事項については有効であると判断して当該記入事項に基づく申込を受け付ける構成を有している。
【００４１】
サーバ装置３は、インターネットに代表されるＷＡＮ（Ｗｉｄｅ  Ａｒｅａ  Ｎｅｔｗｏｒｋ）、公衆電話網、ＬＡＮ（Ｌｏｃａｌ  Ａｒｅａ  Ｎｅｔｗｏｒｋ）などのネットワークを介してコンピュータ装置２と接続される。また、サーバ装置３は、コンピュータ装置２が使用される場所から離隔した場所に固定設置され、ネットワークを介して、（ＡＳＰ：Ａｃｔｉｖｅ  Ｓｅｒｖｅｒ  Ｐａｇｅｓ）等によってコンピュータ装置２が起動するアプリケーションプログラムと連動し、当該コンピュータ装置２との間において逐次的にデータの授受を行う。したがって、データ入力システム１０は、コンピュータ装置２において実行されて取得された告知書４における記入事項に関する種々の情報においては、当該コンピュータ装置２の記憶手段２５に記憶されつつ、逐次サーバ装置３にも提供され、当該サーバ装置３の図示しないデータベースにも蓄積される。
【００４２】
［告知書］
次に、図２を用いて本実施形態の告知書４について説明する。なお、図２は、データ入力システムに用いられる告知書４の書式（様式）の一例である。
【００４３】
告知書４には、紙などの用紙の一面に後述するドットパターン（コード化パターン）が印刷により全体的に形成され、その上に、複数のユーザエリア（記入領域）が規定されている。さらに、告知書４には、複数の記入欄、名称、マーク及びテキスト等の書式（様式）が印刷されている。各ユーザエリアは、予め各記入欄に関連付けられており、電子ペン１により告知書４に記入されて生成される記入情報が、どの記入欄への記入によるものであるのかを、コンピュータ装置２において識別することができる。なお、ドットパターンは、赤外線を吸収するカーボンを含有するインクによって印刷されており、書式は、赤外線を吸収しないインクによって印刷されている。そして、告知書４は、その書式の画像（告知書画像）がコンピュータ装置２に表示され、電子ペン１によってユーザが記入した記入事項をコンピュータ装置２に入力するため、及び、電子ペン１とともにコンピュータ装置２を操作するために用いられる。
【００４４】
各記入欄は、図２に示すように、名称、マーク、当該記入欄の説明若しくは各記入欄に記入する際の注意事項の表記とともに、または、これらの表記に隣接されて印刷されており、それぞれ異なるユーザエリアに関連付けられている。なお、各記入欄の形成位置及び形状は、図２のものに限られず、見やすくかつ記入しやすいように所定の書式によって印刷されていればよい。
【００４５】
記入欄としては、注意事項の確認に関し、ユーザが注意事項を表示させるための指示を行う欄（以下、「注意事項の表示指示欄」という。）４０１と、第１署名の記入欄（第１署名記入欄）４０２と、診察、検査、治療及び投薬（以下、「診察等」という。）の経歴に関する肯定選択欄（以下、「「はい」選択欄」という。）４０３及び否定選択欄（以下、「「いいえ」選択欄」という。）４０４と、当該診察等の経歴における病名を手書き入力するための欄（以下、単に「病名記入欄（文字入力用）」という。）４０５と、が印刷されている。さらに、告知書４には、記入欄として、コンピュータ装置２に表示された画像を選択操作する際に用いる選択指示欄（選択入力用記入欄）４０６〜４０９及び選択決定欄（選択入力用記入欄）４１０と、第２署名の記入欄（第２署名記入欄）４１１と、ユーザの申込を受け付ける際に用いる申込受付欄４１２と、が印刷されている。
【００４６】
注意事項の表示指示欄４０１は、この名称が表記された所定の大きさを有する記入欄であり、電子ペン１によってチェックマークなどのストロークが記入される記入欄である。注意事項の表示指示欄４０１は、その性質上、ユーザが告知書４に関する所定事項を記入する前に最初にマーク（記入）される必要があるので第１署名記入欄４０２とともに、告知書４の上部に印刷されている。また、注意事項の表示指示欄４０１は、ユーザが告知書４に関する注意事項を確認するためにコンピュータ装置２に注意事項に関する所定の画像を表示させるためのユーザエリアに関連付けられている。
【００４７】
第１署名記入欄４０２は、所定の大きさを有する空欄によって形成され、電子ペン１によって署名が記入される記入欄である。また、第１署名記入欄４０２は、告知書４を用いて所定の申込をする際にユーザの同一性を確保して当該告知書４に記載された内容の有効性を判断するための署名が記入される二つのユーザエリアのうち、最初の署名（すなわち、第１署名）が記入されるためのユーザエリアに関連付けられている。第１署名記入欄４０２は、ユーザが注意事項を確認後、告知書４に関する所定事項を記入する際に最初に記入される必要があるので、注意事項の表示指示欄４０１と同様に、告知書４の上部に印刷されている。さらに、第１署名記入欄４０２は、注意事項の表示指示欄４０１とともに、コンピュータ装置２に画像として表示された告知書４に関する注意事項をユーザ本人が確認したことを示すチェック欄としても機能する。
【００４８】
「はい」選択欄４０３は、「はい」の文字と点線によって形成された円が表記された所定の大きさを有する記入欄である。「はい」選択欄４０３は、一定期間内（例えば、過去５年以内）における診察、検査、治療及び投薬の診察等の有無を問う質問に関するテキストに隣接されて印刷されている。また、「はい」選択欄４０３は、「いいえ」選択欄４０４に並設されるとともに、第１署名記入欄４０２の下段であって、病名記入欄４０５の上段に印刷されている。そして、「はい」選択欄４０３は、一定期間内に診察等における経歴がある場合に肯定の選択を行うためのユーザエリアに関連付けられている。以下において、電子ペン１によって「はい」選択欄４０３に円形が記入されたことを「「はい」が選択された」という。
【００４９】
「いいえ」選択欄４０４は、「いいえ」の文字と点線によって形成された円が表記された所定の大きさを有する記入欄である。「いいえ」選択欄４０４は、「はい」選択欄４０４と同様に、一定期間内における診察等の有無を問う質問に関するテキストに隣接されて印刷されている。また、「いいえ」選択欄４０４は、「はい」選択欄４０３に並設されている。そして、「いいえ」選択欄４０４は、一定期間内に診察等における経歴がない場合に否定の選択を行うためのユーザエリアに関連付けられている。以下において、電子ペン１によって「いいえ」選択欄４０４に円形が記入されたことを「「いいえ」が選択された」という。
【００５０】
病名記入欄４０５は、所定の大きさを有する空欄によって形成され、「はい」が選択された場合に、電子ペン１によって診察等における病名が手書き入力される記入欄である。病名記入欄４０５は、「はい」選択欄４０３において「はい」を選択したユーザに対して病名の記入を促すテキストに隣接されて印刷されているとともに、「はい」選択欄４０３及び「いいえ」選択欄４０４の下段に印刷されている。また、病名記入欄４０５は、個人情報（病名）の手書き入力を行うためのユーザエリアに関連付けられており、選択指示欄４０６〜４０９及び選択決定欄４１０と択一的に用いられる。
【００５１】
各選択指示欄４０６〜４０９は、該当する方向を示すマークが表記された所定の大きさを有する記入欄であり、ユーザによってタップなどの比較的に短いストロークが記入される記入欄である。選択指示欄４０６〜４０９は、「はい」選択欄４０３において「はい」を選択したユーザに対して病名の記入を促すテキストに隣接されて印刷されているとともに、病名記入欄４０５の下段に印刷されている。また、選択指示欄４０６〜４０９は、選択決定欄４１０とともに個人情報（病名）の選択入力を行うためのユーザエリアに関連付けられており、病名記入欄４０５と択一的に用いられる。選択指示欄４０６〜４０９には、上方向選択指示欄（第２記入欄）４０６、左方向選択指示欄（第１記入欄）４０７、右方向選択指示欄（第１記入欄）４０８及び下方向選択指示欄４０９（第２記入欄）が含まれる。各選択指示欄４０６〜４０９にストロークが記入されると、コンピュータ装置２と連動して当該コンピュータ装置２上において病名を選択する際に用いられる。特に、左方向選択指示欄４０７及び右方向選択指示欄４０８は、「心臓・血圧」または「脳・精神・神経」など病気の区分（カテゴリ）を選択するカテゴリ選択を行うためのユーザエリアに関連付けられており、上方向選択指示欄４０６及び下方向選択指示欄４０９は、左方向選択指示欄４０７及び右方向選択指示欄４０８によって選択されたカテゴリに属する個々の病名を選択するためのユーザエリアに関連付けられている。
【００５２】
選択決定欄（第３記入欄）４１０は、「決定」の文字が表記された所定の大きさを有する記入欄であり、電子ペン１によってタップなどの比較的に短いストロークが記入される記入欄である。選択決定欄４１０は、選択指示欄４０６〜４０９に並設されて印刷されている。また、選択決定欄４１０は、選択指示欄４０６〜４０９とともに病名（個人情報）の選択入力を行うためのユーザエリアに関連付けられており、選択指示欄４０６〜４０９によって選択された一の病名を、診察等における病名として確定するために用いられる。
【００５３】
第２署名記入欄４１１は、第１署名記入欄４０２と同様に、所定の大きさを有する空欄によって印刷され、ユーザによって署名が記入される記入欄である。また、第２署名記入欄４１１は、第１署名記入欄４０２とともに、告知書４を用いて所定の申込をする際にユーザの同一性を確保して当該告知書４に記載された内容の有効性を判断するために記入させる二つのユーザエリアのうち、最後の署名（すなわち、第２署名）が記入されるためのユーザエリアに関連付けられている。第２署名記入欄４１１は、ユーザが告知書４に関する所定事項を記入する際に最後に記入される必要があるので、告知書４の下部に印刷されている。さらに、第２署名記入欄４１１は、ユーザ本人に対して告知書４に記入した記入事項や選択入力した病名が正しいものであるかを確認したことを示すチェック欄としても機能する。
【００５４】
申込受付欄４１２は、「受付」の文字と点線によって形成された円とが表記された所定の大きさを有する記入欄であり、電子ペン１によって円が記入される記入欄である。申込受付欄４１２は、ユーザが告知書４に関する所定事項を記入した後に最後にマーク（記入）される必要があるので、その性質上、第２署名記入欄４１１と同様に、告知書４の下部に形成されている。
【００５５】
なお、選択欄４０３、４０４及び申込受付欄４１２に電子ペンで記入されるストロークは、完全な円形でなくてもよく、また、その他の形状やチェックマーク等の文字としてもよい。
【００５６】
［ドットパターン］
次に、図３及び図４の各図を用いて本実施形態における告知書４に印刷されているアノト方式のドットパターン（コード化パターン）について説明する。なお、図３は、ドットパターンのドットとそのドットが変換される値との関係を説明する図である。また、図４は、ドットパターンを説明するための図である。
【００５７】
図３に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できるようになっており、このようにして対応付けられた情報の組合せにより、告知書４上の位置座標が決定されるよう構成されている。
【００５８】
図４（ａ）は、ある位置のドットパターンの配列を示している。図４（ａ）に示すように、縦横約２ｍｍにおける範囲内に６×６の３６個のドットが、告知書４上のどの部分から６×６ドットを取ってもユニークなパターンとなるように配置されている。そして、これら３６個のドットにより形成されるドットパターンは、告知書４上における相対的な位置座標及びドットパターンアドレスを保持している。なお、図４（ｂ）は、図４（ａ）に示す各ドットを、仮想格子の基準位置からのシフト方向によって、図３に示す規則性に基づいて対応づけられた値に変換したものである。この変換は、ドットパターンの画像を撮影する電子ペン１によって行われる。
【００５９】
［電子ペン］
次に、図５を用いて本実施形態における電子ペン１の構造とその動作について説明する。なお、図５は、電子ペン１の構造を示す概略図であるとともに、その機能を示すブロック図である。
【００６０】
電子ペン１は、告知書４へのタップ（ペン先部１０３による告知書４への軽叩）及び文字または図形などを記入に用いられる。また、ユーザによって電子ペン１を用いて告知書４上にタップされると、または、文字や図形が描かれると、電子ペン１は、ペン先部１０３の告知書４上の移動経路（すなわち、筆跡またはストローク）に沿って、告知書４に印刷されたドットパターンを局所的、かつ、連続的に読み取る。そして、電子ペン１は、告知書４におけるその局所位置の座標を算出するとともに、その算出した位置座標データをコンピュータ装置２へ送信する。
【００６１】
具体的には、電子ペン１は、図５に示すように、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。
【００６２】
ペン部１０４の先端は、ペン先部１０３となっており、ペン先部１０３は、文字などの記入又はタップを行う際に、ユーザによって告知書４に当接される。なお、ペン部１０４には、第１署名または第２署名を書面として保存するなどの告知書４の性質上、インクカートリッジにインクが充填されているものがよい。
【００６３】
バッテリー１１２は、電子ペン１内の各部材に電力を供給するためのものであり、例えば、電子ペン１のキャップ（図示せず）の脱着により電子ペン１自体の電源のオン／オフを行うように構成されている。リアルタイムクロック１１０は、現在時刻（タイムスタンプ）を示す時刻情報を発信し、プロセッサ１０８に供給する。圧力センサ１０７は、ユーザが電子ペン１により告知書４に文字などを記入したりタップしたりする際に、ペン先部１０３からペン部１０４を通じて与えられる圧力、すなわち、筆圧を検出し、その値をプロセッサ１０８へ伝送する。
【００６４】
プロセッサ１０８は、圧力センサ１０７から与えられる筆圧のデータ（筆圧データ）に基づいて、電子ペン１のペンダウン（告知書４に接触してストロークが書き出しされること）及びペンアップ（接触している状態からペン先部１０３が離れること）を判定してＬＥＤ１０５及びＣＭＯＳカメラ１０６のスイッチのオン／オフを切換える。すなわち、ユーザが電子ペン１によって告知書４に文字などを記入すると、ペン先部１０３に筆圧がかかり、圧力センサ１０７によって所定値以上の筆圧が検出されるので、プロセッサ１０８は、ユーザが記入を開始したと判定して、ＬＥＤ１０５及びＣＭＯＳカメラ１０６を作動させる。そして、ユーザが告知書４から電子ペン１を離すと、圧力センサ１０７によって所定値以上の筆圧の検出がされなくなるので、その際には、プロセッサ１０８は、ユーザが１つの筆跡の記入を終了したと判定して、ＬＥＤ１０５及びＣＭＯＳカメラ１０６の作動を終了させる。
【００６５】
ＬＥＤ１０５及びＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、告知書４上のペン先部１０３近傍に向けて赤外線を照射する。赤外線が照射される領域は、ペン先部１０３が告知書４に接触する位置とはわずかにずれるように構成されている。ＣＭＯＳカメラ１０６は、ＬＥＤ１０５によって照明された領域内における上述したドットパターンを撮影し、そのドットパターンの画像データをプロセッサ１０８に供給する。
【００６６】
上述のように、ドットパターンは、赤外線を吸収するカーボンを含有するインクによって印刷されているので、ＬＥＤ１０５によって照射された赤外線は、ドットの位置においては吸収される。したがって、ドットの部分は、赤外線の反射量が少なく、ドット以外の部分は赤外線の反射量が多くなる。このため、ＣＭＯＳカメラ１０６の撮影により、赤外線の反射量の違いから閾値を設けることによって、カーボンを含むドットの領域とそれ以外の領域を区別することができる。ＣＭＯＳカメラ１０６の受光面側に、ノイズを低減して座標検出の信頼性を高めるため、赤外光を選択的に透過する赤外線透過フィルタを備えてもよい。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。
【００６７】
プロセッサ１０８は、ユーザによって告知書４に文字等のストロークが記入されている間、すなわち、圧力センサ１０７から与えられる筆圧データに基づいてＬＥＤ１０５及びＣＭＯＳカメラ１０６のスイッチがオンの状態のときに、ＣＭＯＳカメラ１０６によって供給される各画像データから、Ｘ、Ｙ座標（以下、単に「位置座標」、「座標情報」又は「座標データ」ともいう。）及びドットパターンアドレスを個々に演算していく。すなわち、プロセッサ１０８は、ＣＭＯＳカメラ１０６によって供給される、図４（ａ）に示されるようなドットパターンの画像データを、図４（ｂ）に示すデータ配列に変換し、さらに、Ｘ座標ビット値及びＹ座標ビット値に変換して、そのデータ配列から所定の演算方法によりＸ，Ｙ座標データ及びドットパターンアドレスを演算する。そして、プロセッサ１０８は、リアルタイムクロック１１０から発信される現在時刻と、筆圧データと、Ｘ，Ｙ座標データ及びドットパターンアドレスとを関連付けて一の座標属性情報を生成する。
【００６８】
なお、上述のように、告知書４における６×６のドットパターンは、告知書４内で重複することはないため、ユーザが電子ペン１で文字等のストロークを記入すると、記入された位置が告知書４のどの位置に当たるかを、プロセッサ１０８による座標演算により、ストロークに沿ってＣＭＯＳカメラ６により撮像されたドットパターンの告知書４における位置座標を特定することができる。
【００６９】
メモリ１０９には、電子ペン１を識別するための「ｐｅｎ０１」などのペンＩＤ（電子ペン識別情報）、ペン製造者番号、ペンソフトウェアのバージョン等のプロパティ情報が記憶されている。そして、通信ユニット１１１は、座標属性情報にペンＩＤが関連付けられた各記入情報をコンピュータ装置２へ順次送信する。通信ユニット１１１によるコンピュータ装置２への送信は、Ｂｌｕｅｔｏｏｔｈ（登録商標）などの無線送信によって即時的かつ逐次的に行われる。
【００７０】
次に、電子ペン１よりコンピュータ装置２へ送信される記入情報について説明する。ユーザが電子ペン１を用いて告知書４にストローク（筆跡）を記入する際には、まず、電子ペン１を告知書４に接触させる。すると、電子ペン１の圧力センサ１０７によってペン先部１０３にかかる筆圧を検出する。電子ペン１のプロセッサ１０８は、圧力センサ１０７によって所定値以上の筆圧が検出されたと判断すると、電子ペン１の告知書４への接触を示すペンダウン情報ＰＤと、電子ペン１の識別情報であるペンＩＤ等とを関連付けた記入情報を生成して、通信ユニット１１１に、その記入情報をコンピュータ装置２へ送信させる。
【００７１】
また、ユーザは、電子ペン１のペン先部１０３を告知書４に接触させた後、筆圧を維持しつつ、ペン先部１０３を移動させてストロークを描くが、電子ペン１のプロセッサ１０８も引き続き、演算により求めた座標情報（Ｘ，Ｙ）及びドットパターンアドレスと、圧力センサ１０７により検出される筆圧データ、リアルタイムクロック１１０により発信された時刻情報とを含む座標属性情報及びペンＩＤ等を関連付けた記入情報を、ＣＭＯＳカメラ１０６によるドットパターンの撮影周期に応じて、逐次生成し、通信ユニット１１１に当該記入情報を順次コンピュータ装置２へ送信させる。
【００７２】
そして、ユーザがストロークを描き終えて電子ペン１を告知書４から離すと、圧力センサ１０７は、筆圧を検出しなくなるため、プロセッサ１０８は、圧力センサ１０７によって所定値以上の筆圧が検出されなくなったと判断する。すると、プロセッサ１０８は、電子ペン１の告知書４への離脱を示すペンアップ情報ＰＵと、電子ペン１の識別情報であるペンＩＤ等とを関連付けた記入情報を生成して、通信ユニット１１１に、その記入情報をコンピュータ装置２へ送信させる。このように、電子ペン１がペンダウンと判定してからペンアップと判定するまでに、すなわち、ユーザの一つのストロークの記入により、電子ペン１によって生成される記入情報の集合をストローク情報と呼ぶ。換言すると、一つの記入情報は、一つのストロークの一部分のストローク（以下、「部分ストローク」とも呼ぶ。）に関する情報である。
【００７３】
［コンピュータ装置］
次に、図６〜図８の各図を用いて本実施形態のコンピュータ装置２について説明する。なお、図６は、コンピュータ装置２の各機能を示す機能ブロック図であり、図７は、告知書４上の各ユーザエリア（記入欄）とドットパターンの座標範囲を示す座標定義情報の一例である。また、図８は、誘導制御処理を行うためのアプリケーション画面６を説明するための図である。
【００７４】
コンピュータ装置２は、例えば、パーソナルコンピュータであって、ハードウェアとして、電子ペン１とのデータ通信が可能なアンテナ装置、ＣＰＵ等のプロセッサ、ＲＯＭやＲＡＭなどのメモリ、ディスプレイ、スピーカ、マウスやキーボード等によって構成される。また、コンピュータ装置２は、図６に示すように、機能的には、マウスやキーボードなどから構成される入力手段２１、受信手段２２、処理手段２４、記憶手段２５、表示手段２６、送信手段２７及びスピーカなどから構成される音声出力手段２８を備え、電子ペン１から受信した記入情報に基づいて所定の処理を行う。
【００７５】
受信手段２２は、アンテナや受信回路等により構成され、電子ペン１から送信された各記入情報を順次受信し、処理手段２４に伝送する。
【００７６】
記憶手段２５は、ハードディスク又はＲＯＭ、ＲＡＭなどのメモリによって構成される。そして、記憶手段２５には、アプリケーション画面６の表示制御、誘導制御処理、病名選択入力処理、記録制御処理、署名整合判定処理及び受付処理など上述の各処理を実行するためのアプリケーションプログラムと、当該アプリケーションプログラムが実行する際に用いられる告知書画像などの画像データ、病名データベース、時間判定に用いる閾値などの各種パラメータ、及び、図７に示すような、告知書４における各ユーザエリアと各記入欄とドットパターンの位置座標の範囲（座標範囲）とを関連付けた座標定義情報などが予め記憶されている。位置座標の範囲（座標範囲）は、領域の左上隅の位置座標（以下、「基準座標（Ｘｎ、Ｙｎ）」という。）と当該基準座標からの高さ（ｙ軸方向）Ｈｎ及び幅（ｘ軸方向）Ｗｎによって規定される（ｎは変数を示す。）。そして、処理手段２４は、電子ペン１から受信した記入情報に含まれる位置座標データが属する座標範囲を、記憶手段２５に記憶された座標定義情報を参照して特定することで、当該記入情報に対応するストロークが記入されたユーザエリア及び記入欄を特定できる。なお、これらのドットパターンが告知書４に割り当てられたドットパターンであることを特定するために、座標定義情報にはドットパターンアドレスの関連付け情報も含まれている（不図示）。
【００７７】
また、記憶手段２５には、アプリケーションプログラムが実行されている際に、ユーザが告知書４に文字、記号又は図形を記入した際に電子ペン１によって生成された記入情報や、病名情報、署名記入時間、及び、申込の受付完了時に受付データとなるデータなどアプリケーションプログラムの実行によって生成された各種データが記憶される。なお、受付データとは、注意事項を確認した旨、第１署名を示すストローク情報（第１署名情報）、一定期間内における診察等の有無、手書き入力されたまたは選択入力された病名情報、第２署名を示すストローク情報（第２署名情報）などの、告知書４の記入に基づく処理手段２４の処理によって生成される各種のデータ群をいう。
【００７８】
処理手段２４は、ＣＰＵ等のプロセッサによって構成される。処理手段２４は、アプリケーションプログラムを実行し、表示手段２６に表示されたアプリケーション画面６を制御しつつ、電子ペン１の告知書４におけるストロークの表示制御処理及びユーザの告知書４への的確な記入を誘導するための誘導制御処理を実行する。
【００７９】
具体的な処理としては、処理手段２４は、電子ペン１から受信した記入情報に基づいてストロークを描画し、アプリケーション画面６に表示した告知書画像に、描画したストロークを重畳表示するためのストローク描画処理と、アプリケーション画面６における表示制御など各種の処理を行う誘導制御処理とを実行する。処理手段２４は、このような各処理を実行するために、図６に示すように、ストローク描画処理部２４１と、誘導制御部２４２とを有している。
【００８０】
ストローク描画処理部２４１は、電子ペン１から送信されて受信した各記入情報（すなわち、一のストロークを構成する部分ストロークの座標属性情報及びペンＩＤ）を記憶手段２５に記憶しつつ、記憶手段２５に記憶された座標定義情報を参照して、記入情報に含まれるＸ，Ｙ座標データ（位置座標）が告知書４上のどの位置にあたるかを認識してストロークを描画し、アプリケーション画面６上に描画したストロークを表示する、ストローク描画処理を実行する。また、ストローク描画処理部２４１は、記入情報が記入された告知書４上の記入欄として前記認識した記入欄を、認識記入欄として誘導制御部２４２に伝達する。なお、ストローク描画処理部２４１は、描画したストローク情報を送信手段２７を介してサーバ装置３に逐次送信する。そして、サーバ装置３は、受信したストローク情報を図示しないデータベースにペンＩＤ毎に蓄積する。
【００８１】
誘導制御部２４２は、記憶手段２５に予め記憶された誘導制御プログラムを含むアプリケーションプログラムに基づいて、ストローク描画処理部２４１と連動しつつ、告知書４の各記入欄が記入済みか否かを判定し、告知書４における記入欄への記入順を誘導する、誘導制御処理を実行する。なお、誘導制御部２４２の誘導制御処理の詳細については後述する。
【００８２】
表示手段２６は、液晶又は有機ＥＬなどのディスプレイ等によって構成され、処理手段２４によって指示された内容を表示するものである。特に、表示手段２６は、アプリケーションが実行されている際に、アプリケーション画面６を表示し、さらにアプリケーション画面６上に、告知書画像等を表示する。また、表示手段２６は、署名整合判定処理が実行された際に、アプリケーション画面６上に所定の警告画面を表示したり、告知書４による申込の受付を完了することを示す受付完了画面などのポップアップ画面７、８を表示したりする。
【００８３】
アプリケーション画面６は、図８に示すように、告知書４と同一の書式を有する告知書画像（フォーマット画像）を表示する告知書画像表示領域６０１と、ユーザが告知書４に記入事項を記入する際に必要な情報を視覚的に提供するための画像（お知らせ画像）を表示するお知らせ画像表示領域６０２と、電子ペン１における告知書４への記入に連動し、病名選択入力処理が実行される際に病名のカテゴリ及び病名が選択可能に表示される選択入力表示領域６０３と、を有する。また、このアプリケーション画面６は、アプリケーションを終了させる指示ボタン６０４を有するタイトルバーなどのアプリケーションプログラムを実行する上で必要な情報が表示される。
【００８４】
告知書画像表示領域６０１に表示される告知書画像は、図８に示すように、告知書４の書式を画像データ化したものであり、告知書画像には告知書４と同一の記入欄が表示形成される。すなわち、注意事項の表示指示欄６１１と、第１署名記入欄６１２と、「はい」選択欄６１３と、「いいえ」選択欄６１４と、病名記入欄６１５と、選択指示欄６１６〜６１９及び選択決定欄６２０と、第２署名記入欄６２１と、申込受付欄６２２とが表示形成される。
【００８５】
送信手段２７は、インターネットまたは公衆電話網などのネットワークを介してサーバ装置３と接続されている。また、送信手段２７は、ＡＳＰによるサーバ装置３とのデータの授受を行う。
【００８６】
［誘導制御処理］
次に、図９〜図２２の各図を用いて誘導制御部２４２において実行される誘導制御処理について説明する。
【００８７】
（記入済み判定）
まず、誘導制御部２４２において誘導制御処理の一処理として実行される記入済み判定処理について説明する。
【００８８】
誘導制御部２４２は、誘導制御処理中の所定のタイミング及び所定の処理時に、告知書４上の記入欄における記入済みか否かの判定（すなわち、記入済み判定）を行う。具体的には、誘導制御部２４２は、特定の記入欄に対応するユーザエリアに割り当てられた座標範囲に属するストローク情報が記憶手段２５に記憶されている際には、当該特定の記入欄が記入済みであると判定する。このとき、誘導制御部２４２は、一のストローク情報に含まれる全てのＸ、Ｙ座標データが特定の一のユーザエリアに関連付けられた座標範囲に属する場合に、そのユーザエリアに関連付けられた記入欄に電子ペン１によってストロークが記入されたとして判別する。なお、誘導制御部２４２は、一のストローク情報に含まれる全てのＸ、Ｙ座標データのうち、一定以上（例えば、８割以上）のＸ、Ｙ座標データが一のユーザエリアに関連付けられた座標範囲に含まれる場合に、そのユーザエリアに関連付けられた記入欄に電子ペン１によってストロークが記入されたとして判別することとしてもよい。また、後述するように、誘導制御部２４２は、アプリケーション画面６上から削除（表示の解除）が実行された場合には、当該記入欄に属するストローク情報を記憶手段２５から削除する、または、誘導制御処理などに用いる情報としては取り扱わないように無効化する（例えば、無効フラグを付与する）ので、各記入欄に記入されたストローク情報に基づいて記入済み判定を行うことができる。
【００８９】
（記入順の誘導）
次に、誘導制御部２４２の誘導制御処理における記入順の誘導について説明する。
【００９０】
誘導制御部２４２は、ストローク描画処理部２４１におけるストローク情報の描画処理と連動し、ストローク描画処理部２４１から伝達された認識記入欄や、記憶手段２５に記憶されたストローク情報などの所定の情報及びフラグ情報に基づいて、予め定められた告知書４における記入欄へのユーザによる記入の順序（記入順）を誘導する。誘導制御部２４２は、誘導制御処理のアプリケーションプログラムに基づいて、告知書４の上部から順に、かつ、択一的な選択に関しては何れか一方の記入欄にユーザによる記入が行われるように誘導する。
【００９１】
具体的には、誘導制御部２４２は、ストローク描画処理部２４１から伝達された認識記入欄と、記憶手段２５に記憶されるストローク情報と、告知書４上における記入欄へユーザが記入した場合に実行される所定の処理について設けられたフラグ情報と、アプリケーション画面６に表示されている項目に基づいて、告知書４における記入欄のユーザによる記入が記入順に従って実行されるように、記入順を誘導する。
【００９２】
（１）注意事項の表示指示欄４０１にユーザの記入がされた際に実行される注意事項の確認映像の再生が実行されたか否かを示すフラグ情報。なお、誘導制御部２４２は、当該映像が再生された場合に「実行済み」を示すフラグ情報を記憶手段２５に記憶する。このとき、誘導制御部２４２は、当該映像が所定の時間再生されたことを判定してから「実行済み」を示すフラグ情報を記憶手段２５に記憶するように構成するとよい。
（２）第１署名記入欄４０２にユーザの記入がされた際に実行される第１署名における記入開始時刻及び記入終了時刻を有する時刻情報（以下、「第１署名時刻情報」という。）の記憶の有無。
（３）「はい」選択欄４０３または「いいえ」選択欄４０４にユーザの記入がされた際に記憶されたストローク情報の有無、あるいは、「はい」選択欄６１３または「いいえ」選択欄６１４の選択表示の状態。
（４）選択指示欄４０６〜４０９に電子ペン１によってストロークが記入された際に実行される選択入力表示領域６０３に表示される病名の有無。
（５）病名記入欄４０５に電子ペン１によってストロークが記入された際に記憶されたストローク情報の有無、または、選択決定欄４１０に電子ペン１によってストロークが記入された際に確定されて記憶された病名情報の有無。
（６）第２署名記入欄４１１に電子ペン１によってストロークが記入された際に実行される第２署名における記入開始時刻及び記入終了時刻を有する時刻情報（以下、「第２署名時刻情報」という。）の記憶の有無。
【００９３】
（ハイライト更新処理）
次に、図９を用いて誘導制御部２４２において誘導制御処理の一処理として実行されるハイライト（強調）更新処理について説明する。なお、図９は、ハイライト表示６０５Ａが実行されているアプリケーション画面の一例である。
【００９４】
誘導制御部２４２は、誘導制御処理中の所定のタイミングにハイライト更新処理を実行する。誘導制御部２４２は、記入済み判定処理を実行し、所定の記入欄について記入済みではないと判定した場合に、告知書画像上の該当する記入欄に対してハイライト表示６０５を実行させる。ハイライト表示６０５としては、誘導制御部２４２は、告知書画像表示領域６０１に表示された告知書画像上における該当する記入欄に対して当該記入欄の外枠を強調表示する表示制御を行う。また、誘導制御部２４２は、ハイライト更新処理を行う毎に、一度全てのハイライト表示６０５を解除するとともに、告知書画像表示領域６０１に表示された告知書画像上の何れかの記入欄に対してハイライト表示６０５を実行する。
【００９５】
なお、図９に示すアプリケーション画面６は、アプリケーションプログラムが起動した際の初期画面であって、告知書画像表示領域６０１の注意事項の表示指示欄６１１に対してハイライト表示６０５Ａが実行されている例である。すなわち、ユーザは最初に注意事項の表示指示欄４０１に記入をしなければならないので、初期画面にそれを誘導するためのハイライト表示６０５Ａが実行されている。
【００９６】
（警告処理）
次に、図１０及び図１１を用いて誘導制御部２４２において誘導制御処理の一処理として実行される警告処理について説明する。なお、図１０及び図１１は、警告処理が実行された際のアプリケーション画面６であって、図１０は、注意事項の確認警告における表示の一例であり、図１１は、病名記入／決定警告における表示の一例である。
【００９７】
誘導制御部２４２は、誘導制御処理中に、予め定められた記入順に従っていれば記入される告知書４上の所定の記入欄への電子ペン１による記入が実行されていないと判断した場合に、所定の警告処理を行う。警告処理としては、誘導制御部２４２は、電子ペン１によって告知書４上に記入されている記入欄と同一の告知書画像上の記入欄に対して、当該記入欄をハイライト表示にする警告表示６０６を行うとともに警告用表示マーク６０７を表示する表示制御を行う。ただし、警告表示におけるハイライト表示は、ハイライト更新処理におけるハイライト表示とは異なる表示、例えば、該当する記入欄の外枠を点滅表示させたり、異なる色でハイライト表示させたり、あるいは、該当する記入欄全体をハイライト表示させたりすることによって実行される。
【００９８】
また、誘導制御部２４２は、告知書画像上の所定の記入欄に対して警告表示した際に、お知らせ画像としてお知らせ画像表示領域６０２に警告内容及びユーザが記入すべき記入欄を示す所定の画像を表示するように表示手段２６を制御するとともに、スピーカ（音声出力手段）２８から警告音を出力する。
【００９９】
図１０に示すアプリケーション画面６は、ユーザが注意事項の表示指示欄４０１に記入をしなければならない際に第１署名記入欄４０２に記入した場合に、告知書画像表示領域６０１の第１署名記入欄６１２に対する警告表示６０６Ａの実行、及び、警告用表示マーク６０７Ａの表示がされている例である。また、この場合に、所定の画像がお知らせ画像としてお知らせ画像表示領域６０２Ｂに表示されている。
【０１００】
一方、図１１に示すアプリケーション画面６は、ユーザが病名を病名記入欄４０５に手書き入力または選択指示欄４０６〜４０９及び選択決定欄４１０によって選択入力をしなければならない際に第２署名記入欄４１１に記入した場合に、告知書画像表示領域６０１の第２署名記入欄６２１に対する警告表示６０６Ｂの実行、及び、警告用表示マーク６０７Ｂの表示がされている例である。なお、警告表示６０６Ｂ及び警告用表示マーク６０７Ｂの表示を含めて「第２署名記入警告」という。また、この場合に、所定の画像がお知らせ画像としてお知らせ画像表示領域６０２Ｆに表示される。
【０１０１】
なお、図１０及び図１１以外の状況で実行される警告処理については、その状況に合わせたお知らせ画像がお知らせ画像表示領域６０２に表示されるとともに、警告表示６０６の実行、及び、警告用表示マーク６０７の表示が該当する記入欄に実行される。
【０１０２】
（注意事項の確認映像の再生処理）
次に、図１２を用いて誘導制御部２４２において誘導制御処理の一処理として実行される注意事項の確認映像の再生処理について説明する。なお、図１２は、注意事項の確認映像の再生処理が実行された場合におけるアプリケーション画面６の一例である。
【０１０３】
誘導制御部２４２は、誘導制御処理中に、ストローク描画処理部２４１から伝達された認識記入欄が注意事項の表示指示欄４０１であった場合に、お知らせ画像表示領域６０２に注意事項の確認映像を再生する。また、誘導制御部２４２は、注意事項の確認映像の再生終了後に、「確認映像の再生完了」を示すフラグ情報を記憶手段２５に記憶する。
【０１０４】
なお、誘導制御部２４２は、注意事項の確認映像の再生処理が実行された後に、上記のハイライト更新処理を実行し、次にユーザが記入すべき告知書画像上の記入欄、すなわち、第１署名記入欄６１２に対してハイライト表示６０５を行う。また、図１２に示すアプリケーション画面６は、電子ペン１による注意事項の表示指示欄４０１への記入がされた場合に、注意事項の確認映像がお知らせ画像表示領域６０２Ａに再生されている例である。
【０１０５】
また、お知らせ画像表示領域６０２における注意事項の確認映像の再生においては、テキストのみに限らず、イラストが含まれてもよいし、動画として再生させてもよい。
【０１０６】
（第１署名記入処理）
次に、誘導制御部２４２において誘導制御処理の一処理として実行される第１署名記入処理について説明する。
【０１０７】
誘導制御処理中に、予め定められた記入順に従って電子ペン１による告知書４への記入が実行されている場合であって、受信した記入情報の認識記入欄が第１署名記入欄４０２であるとストローク描画処理部２４１によって認識された場合には、誘導制御部２４２は、当該記入情報に含まれる時刻情報を、第１署名記入開始時刻及び第１署名記入終了時刻（以下、単にまとめて「第１署名時刻情報」ともいう。）として、記憶手段２５に記憶する。すなわち、注意事項の確認映像におけるフラグ情報が再生済みであって、受信した記入情報の認識記入欄が第１署名記入欄４０２である場合には、誘導制御部２４２は、当該記入情報に含まれる時刻情報を第１署名時刻情報として記憶手段２５に記憶する。
【０１０８】
このとき、誘導制御部２４２は、第１署名記入開始時刻が既に記憶手段２５に記憶されている場合、第１署名記入開始時刻は更新せずに、第１署名記入終了時刻のみ記憶手段２５に更新記憶する。これにより、第１署名の記入が終了すると、必然的に第１署名記入欄４０２に記入された最初のストロークにおけるペンダウン時の時刻情報が第１署名記入開始時刻として、最後のストロークにおけるペンアップ時の時刻情報が第１署名終了時刻として、それぞれ記憶手段２５に記憶される。
【０１０９】
なお、誘導制御部２４２は、第１署名記入処理が実行された後に、上記のハイライト更新処理を実行し、次にユーザが記入すべき記入欄である「はい」選択欄４０３及び「いいえ」選択欄４０４に対応する告知書画像上の記入欄、すなわち、「はい」選択欄６１３及び「いいえ」選択欄６１４に対してハイライト表示６０５を行う。
【０１１０】
（診察等履歴の有無に関する選択処理）
次に、図１３及び図１４を用いて誘導制御部２４２において誘導制御処理の一処理として実行される診察等履歴の有無に関する選択処理について説明する。なお、図１３及び図１４は、診察等履歴の有無に関する選択処理が実行された際のアプリケーション画面６であって、図１３は、「はい」選択欄４０３の選択表示等の一例であり、図１４は、「いいえ」選択欄４０４の選択表示等の一例である。
【０１１１】
誘導制御処理中に、予め定められた記入順に従って電子ペン１による告知書４への記入が実行されている場合であって、受信したストローク情報がストローク描画処理部２４１によって「はい」選択欄４０３または「いいえ」選択欄４０４の何れかに属するストロークと認識されていた場合には、誘導制御部２４２は、ストロークの記入がされた「はい」選択欄６１３または「いいえ」選択欄６１４に対して選択表示６０８を行う。すなわち、誘導制御部２４２は、注意事項の確認映像が再生済みであることを示すフラグ情報と第１署名時刻情報が記憶手段２５に記憶されている場合であって、認識記入欄が「はい」選択欄４０３または「いいえ」選択欄４０４の何れかである場合には、認識された方の選択欄に対して選択表示６０８を行う。
【０１１２】
選択表示６０８としては、誘導制御部２４２は、アプリケーション画面６の告知書画像上における「はい」選択欄６１３または「いいえ」選択欄６１４をハイライト表示にする。そして、誘導制御部２４２は、「はい」選択欄６１３または「いいえ」選択欄６１４に対して選択表示した際に、スピーカ２８から選択音を出力する。ただし、選択表示６０８におけるハイライト表示は、「はい」選択欄６１３または「いいえ」選択欄６１４の外枠に対してハイライト更新処理または警告処理におけるハイライト表示とは異なる強調表示を行うことによって実行される。
【０１１３】
認識記入欄が「はい」選択欄４０３である場合には、誘導制御部２４２は、お知らせ画像表示領域６０２に所定の画像をお知らせ画像として表示させるとともに、選択入力表示領域６０３に病名選択入力処理が実行される際に用いられるナビゲーション画面（以下、単に「ナビゲーション画面」という。）の初期画像を表示させる。また、認識記入欄が「いいえ」選択欄４０４である場合には、誘導制御部２４２は、告知書画像に設けられた病名記入欄６１５と、選択指示欄６１６〜６１９及び選択決定欄６２０との画像上に「×」印の記入不要マーク６０９を表示させる。なお、ナビゲーション画面とは、電子ペン１による選択指示欄４０６〜４０９の記入に従って病名のカテゴリ及びそのカテゴリに属する病名が選択可能に表示される画面であり、病名選択入力処理において用いられる。
【０１１４】
一方、認識記入欄が「はい」選択欄４０３または「いいえ」選択欄４０４の何れかである場合に、既に反対の選択欄が記入済みであると判断すると、誘導制御部２４２は、記入済みの記入欄に対応する告知書画像上の記入欄に対する選択表示、お知らせ画像の表示及びナビゲーション画面の表示を解除するとともに、該当するストローク情報を記憶手段２５から削除または無効化するとともに、認識記入欄に対応する告知書画像上の「はい」選択欄６１３または「いいえ」選択欄６１４に対して選択表示６０８を行う。なお、誘導制御部２４２は、既に「はい」選択欄４０３もしくは「いいえ」選択欄４０４の座標範囲に含まれる座標情報を含む記入情報（ストローク情報）が記憶されているか、又は、「はい」選択欄４０３もしくは「いいえ」選択欄４０４が選択表示されているかに基づいて、反対の選択欄への記入があるか否かを判断することができる。
【０１１５】
また、誘導制御部２４２は、診察等履歴の有無に関する選択処理が実行された後に、上記のハイライト更新処理を実行し、次にユーザが記入すべき記入欄に対する告知書画像上の記入欄にハイライト表示６０５を行う。
【０１１６】
なお、図１３に示すアプリケーション画面６は、告知書画像表示領域６０１の「はい」選択欄６１３に選択表示６０８Ａが実行されている場合であって、病名記入欄６１５と、選択指示欄６１６〜６１９及び選択決定欄６２０に対するハイライト表示６０５Ｄが実行されている例である。また、このとき、図１３に示すように、お知らせ画像表示領域６０２Ｃには、「はい」選択欄４０３が選択されたことを示すお知らせ画像が表示されているとともに、選択入力表示領域６０３にはナビゲーション画面が表示されている。
【０１１７】
また、図１４に示すアプリケーション画面６は、告知書画像表示領域６０１の「いいえ」選択欄６１４に選択表示６０８Ｂが実行されている場合であって、病名記入欄６１５と、選択指示欄６１６〜６１９及び選択決定欄６２０に対して「×」印の記入不要マーク６０９が表示されているとともに、第２署名記入欄６２１に対するハイライト表示６０５Ｅが実行されている例である。また、このとき、図１４に示すように、お知らせ画像表示領域６０２Ｄには、「いいえ」選択欄４０４が選択されたことを示すお知らせ画像が表示され、病名の手書き記入または選択入力が不要である旨を示すテキストが含まれたお知らせ画像が表示されている。
【０１１８】
（病名手書き入力処理）
次に、図１５を用いて誘導制御部２４２において誘導制御処理の一処理として実行される病名手書き入力処理について説明する。なお、図１５は、病名手書き入力処理が実行された際のアプリケーション画面６の一例である。
【０１１９】
誘導制御部２４２は、誘導制御処理中に、予め定められた記入順に従って電子ペン１による告知書４への記入が実行されている場合であって、認識記入欄が病名記入欄４０５である場合には、該当する記入情報（ストローク情報）を病名情報として記憶手段２５に記憶する。すなわち、注意事項の確認映像が再生済みであることを示すフラグ情報と第１署名時刻情報とが記憶手段２５に記憶されていて、「はい」選択欄６１３が選択表示されている場合であって、受信した記入情報の認識記入欄が病名記入欄４０５である場合には、誘導制御部２４２は、該当する記入情報（ストローク情報）を病名情報として記憶手段２５に記憶する。なお、通常、複数のストロークによって病名記入欄４０５に病名が記入されるので、誘導制御部２４２は、複数のストローク情報を病名情報として記憶手段２５に記憶する。
【０１２０】
なお、誘導制御部２４２は、病名手書き入力処理が実行された後に、上記のハイライト更新処理を実行し、次にユーザが記入すべき記入欄である第２署名記入欄４１１に対応する告知書画像上の記入欄、すなわち、第２署名記入欄６２１に対してハイライト表示６０５を行う。また、図１５に示すアプリケーション画面６は、告知書４の病名記入欄４０５に病名が手書き入力された場合であって、第２署名記入欄６２１がハイライト表示６０５Ｅが実行されている例である。なお、病名記入欄４０５に記入を始めると直ぐに第２署名記入欄６２１がハイライト表示されるが、ユーザは、病名を最後まで記入後、第２署名記入欄４１１に第２署名を記入すればよい。
【０１２１】
（病名選択入力処理）
次に、図１６〜図１９の各図を用いて誘導制御部２４２において誘導制御処理の一処理として実行される病名選択入力処理について説明する。なお、図１６は、病名選択入力処理に用いる病気のカテゴリ（区分）と各カテゴリに属する病名の階層構造を示すデータ例であり、図１７及び図１８は、病名選択入力処理が実行された際のアプリケーション画面６であって、選択指示欄４０６〜４０９に電子ペン１によるストローク記入された場合の一例である。図１９は、病名選択入力処理が実行された際のアプリケーション画面６であって、病名が確定された場合の一例である。
【０１２２】
誘導制御処理中に、予め定められた記入順に従ってユーザによる告知書４への記入が実行されている場合であって、受信した記入情報の認識記入欄が選択指示欄４０６〜４０９の何れかである場合には、誘導制御部２４２は、該当する選択指示欄４０６〜４０９に基づいて、病気のカテゴリの選択または各カテゴリに属する病名の選択を行う。すなわち、注意事項の確認映像が再生済みであることを示すフラグ情報と第１署名時刻情報とが記憶手段２５に記憶されていて、さらに、「はい」選択欄６１３が選択表示されている場合であって、認識記入欄が選択指示欄４０６〜４０９の何れかであると判別された場合には、誘導制御部２４２は、該当する選択指示欄４０６〜４０９に基づいて、病気のカテゴリの選択または各カテゴリの病名の選択を行う。
【０１２３】
誘導制御部２４２は、図１６に示すように、記憶手段２５に予め記憶された「心臓・血圧」または「脳・精神・神経」など病気のカテゴリと各カテゴリ毎に対応付けられた複数の病名の情報とを有する階層構造の病名選択用データと選択入力表示領域６０３に表示されるナビゲーション画面とを連動させる。そして、誘導制御部２４２は、認識記入欄が左方向選択指示欄４０７ないし右方向選択指示欄４０８と判断された場合には、カテゴリを遷移させ、認識記入欄が上方向選択指示欄４０６ないし下方向選択指示欄４０９と判断された場合には、選択されたカテゴリに属する病名の一覧をスクロール（またはカーソルや太文字などの強調表示を移動）させて一の病名を選択する。
【０１２４】
具体的には、認識記入欄が左方向選択指示欄４０７の場合には、誘導制御部２４２は、カテゴリの選択において表示されているカテゴリから一つ左のカテゴリに切り換えてナビゲーション画面上に表示させる。そして、誘導制御部２４２は、切り換えられたカテゴリとともに当該カテゴリに属する病名の一覧も遷移させてナビゲーション画面上に表示させる。また、認識記入欄が右方向選択指示欄４０８の場合には、誘導制御部２４２は、カテゴリの選択において表示されているカテゴリから一つ右のカテゴリに遷移させてナビゲーション画面上に表示させる。そして、誘導制御部２４２は、切り換えられたカテゴリとともに当該カテゴリに属する病名の一覧も遷移させてナビゲーション画面上に表示させる。一方、認識記入欄が上方向選択指示欄４０６の場合には、誘導制御部２４２は、選択されたカテゴリの病名の一覧の一部としてナビゲーション画面上に表示している病名の一覧を一つ上の病名から表示されるようにスクロールさせる（またはカーソルや太文字などの強調表示を一つ上の病名に移動）させる。また、認識記入欄が下方向選択指示欄４０９の場合には、誘導制御部２４２は、選択されたカテゴリの病名の一覧の一部としてナビゲーション画面上に表示している病名の一覧を一つ下の病名まで表示されるようにスクロール（またはカーソルや太文字などの強調表示を一つ下の病名に移動）させる。
【０１２５】
なお、図１７に示すアプリケーション画面６は、告知書４の右方向選択指示欄４０８に電子ペン１による記入が行われている場合であって、選択入力表示領域６０３のナビゲーション画面で、この記入によりカテゴリ「脳・精神・神経」（６０３Ａ）が選択されている例である。また、図１８に示すアプリケーション画面６は、図１７の処理の後に、告知書４の下方向選択指示欄４０９に電子ペン１による記入が行われている場合であって、選択入力表示領域６０３のナビゲーション画面に、カテゴリ「脳・精神・神経」における病名「自律神経失調症」（６０３Ｂ）が選択されている例である。
【０１２６】
一方、誘導制御部２４２は、病名選択入力処理中に、受信した記入情報の認識記入欄が選択決定欄４１０である場合には、選択された病名、すなわち、選択入力表示領域６０３に表示されている病名（カーソル内に表示または太文字などによって強調表示されている病名）を病名情報として確定し、当該確定した病名情報を記憶手段２５に記憶するとともに、選択入力表示領域６０３に表示されている当該病名の選択表示欄に対して選択表示６０８を行う。なお、誘導制御部２４２は、病名が確定した後に、上記のハイライト更新処理を実行し、次にユーザが記入すべき記入欄、すなわち、第２署名記入欄６２１に対してハイライト表示６０５を行う。
【０１２７】
なお、図１９に示すアプリケーション画面６は、告知書４の選択決定欄４１０に電子ペン１による記入が行われている場合であって、選択入力表示領域６０３に選択されている病名「自律神経失調症」が選択表示６０８Ｃされている例である。このとき、図１９に示すように、お知らせ画像表示領域６０２Ｅには、病名が決定されたことを示すお知らせ画像が表示されるとともに、第２署名記入欄６２１がハイライト表示６０５Ｅされる。
【０１２８】
（第２署名記入処理）
次に、図２０を用いて誘導制御部２４２において誘導制御処理の一処理として実行される第２署名記入処理について説明する。なお、図２０は、第２署名記入処理が実行された際のアプリケーション画面６の一例である。
【０１２９】
誘導制御部２４２は、誘導制御処理中に、予め定められた記入順に従って電子ペン１による告知書４への記入が実行されている場合であって、認識記入欄が第２署名記入欄４１１である場合には、当該記入情報に含まれる時刻情報を、第２署名記入開始時刻及び第２署名記入終了時刻（以下、単にまとめて「第２署名時刻情報」ともいう。）として、記憶手段２５に記憶する。すなわち、注意事項の確認映像が再生済みであることを示すフラグ情報と、第１署名時刻情報とが記憶手段２５に記憶されていて、さらに、「はい」選択欄６１３が選択表示されていて及び病名情報が記憶手段２５に記憶されているか、もしくは、「いいえ」選択欄６１４が選択表示されているかの何れか一方である場合であって、受信した記入情報の認識記入欄が第２署名記入欄４１１である場合には、誘導制御部２４２は、当該記入情報に含まれる時刻情報を第２署名時刻情報として記憶手段２５に記憶する。
【０１３０】
このとき、誘導制御部２４２は、第２署名記入開始時刻が既に記憶手段２５に記憶されている場合、第２署名記入開始時刻は更新せずに、第１署名記入終了時刻のみ記憶手段２５に更新記憶する。これにより、第２署名の記入が終了すると、必然的に第２署名記入欄４１１に記入された最初のストロークにおけるペンダウン時の時刻情報が第２署名記入開始時刻として、最後のストロークにおけるペンアップ時の時刻情報が第２署名終了時刻として、それぞれ記憶手段２５に記憶される。
【０１３１】
なお、誘導制御部２４２は、第２署名記入処理が実行された後に、上記のハイライト更新処理を実行し、次にユーザが記入すべき記入欄である申込受付欄４１２に対応する告知書画像上の記入欄、すなわち、申込受付欄６２２に対してハイライト表示６０５Ｆを行う。また、図２０に示すアプリケーション画面６は、告知書４の第２署名記入欄４１１に電子ペン１による記入が行われている場合であって、申込受付欄６２２に対してハイライト表示６０５Ｆが実行されている例である。
【０１３２】
（署名整合判定処理）
次に、図２１及び図２２の各図を用いて誘導制御部２４３において誘導制御処理の一処理として実行される署名整合判定処理について説明する。なお、図２１及び図２２は、署名整合判定処理が実行された際のアプリケーション画面６であって、図２１は、第２署名が第１署名と整合性を有することにより申込受付が完了した場合の一例であり、図２２は、第２署名が第１署名と不整合となり、第２署名の再入力を促す場合の一例である。
【０１３３】
誘導制御部２４２は、誘導制御処理中に、予め定められた記入順に従って電子ペン１による告知書４への記入が実行されている場合であって、受信した記入情報の認識記入欄が申込受付欄４１２である場合には、記憶手段２５に記憶された第１署名時刻情報及び第２署名時刻情報に基づいて署名整合判定処理を行う。すなわち、注意事項の確認映像が再生済みであることを示すフラグ情報と、第１署名時刻情報とが記憶手段２５に記憶されていて、さらに、「はい」選択欄６１３が選択表示されていて及び病名情報が記憶手段２５に記憶されているか、もしくは、「いいえ」選択欄６１４が選択表示されているかの何れか一方であって、第２署名時刻情報が記憶手段２５に記憶されている場合であって、認識記入欄が申込受付欄４１２である場合には、誘導制御部２４２は、署名整合判定処理を行う。
【０１３４】
署名整合判定処理としては、誘導制御部２４２は、第１署名時刻情報における第１署名記入開始時刻から第１署名記入終了時刻までの経過時間を演算し、当該経過時間を第１署名記入時間として記憶手段２５に記憶する。また、誘導制御部２４２は、第２署名時刻情報における第２署名記入開始時刻から第２署名記入終了時刻までの経過時間を演算し、当該経過時間を第２署名記入時間として記憶手段２５に記憶する。そして、誘導制御部２４２は、第１署名記入時間と第２署名記入時間とを比較してその差分が予め定められた閾値以下であるか否かを判断し、ユーザの申込を受け付けるか否かを決定する。
【０１３５】
通常、ユーザが自己の署名を何度記載したとしても、ほぼ同一の時間長によって署名することができるので、第１署名と第２署名の記入時間を比較すれば、当該第１署名と第２署名の同一性をも判断することができる。したがって、誘導制御部２４３は、第１署名記入時間と第２署名記入時間の差分が閾値以下の場合には、ユーザの申込を受け付け、所定のデータを受付データとして所定の受付番号（ＩＤ番号）を付して記憶手段２５に記憶し、その旨をユーザに通知する。
【０１３６】
受付データには、注意事項の確認映像欄４０１へのストローク情報、第１署名のストローク情報、「はい」選択欄４０３もしくは「いいえ」選択欄４０４へのストローク情報、病名情報（病名記入欄４０５へのストローク情報もしくは選択入力により確定した病名情報）、第２署名のストローク情報、並びに、申込受付欄４１２へのストローク情報が含まれる。
【０１３７】
なお、図２１に申込受付の完了時のアプリケーション画面６及び当該申込受付の完了の旨を示すポップアップ画面８の例を示す。ポップアップ画面８は、図２１に示すように、アプリケーション画面６の前面に表示されるとともに、診察等履歴の有無、診察等履歴がある場合はその病名、第１署名及び第２署名のストロークを表示する。そして、ユーザのコンピュータ装置２への所定の入力指示（ＯＫボタンのクリック）後は、アプリケーションプログラムを終了させる。なお、図２１では、病名選択入力により確定された病名情報に基づく病名が表示されているが、病名情報として病名手書き入力によるストローク情報が記憶手段２５に記憶されている場合には、当該ストローク情報に基づくストロークの画像が病名として表示される。
【０１３８】
一方、誘導制御部２４２は、第１署名記入時間と第２署名記入時間の差分が閾値より大きい場合には、第２署名が第１署名と異なると判断してユーザの申込を拒否し、署名不一致の告知画像の表示及び警告音の出力などの警告処理を行うとともに、再入力を促す画像を表示する。このとき、誘導制御部２４２は、記憶手段２５に記憶されている第２署名時刻情報、第２署名記入欄４１１に記入されたストローク情報及び申込受付欄４１２に記入されたストローク情報を削除または当無効化する。なお、このとき、誘導制御部２４２は、送信手段２７を介してサーバ装置３の図示しないデータベースに既に蓄積されている該当するペンＩＤのストローク情報を削除または無効化する制御を行う。
【０１３９】
なお、図２２に第２署名の再記入を促すときのアプリケーション画面６及びポップアップ画面７の例を示す。ポップアップ画面７は、図２２に示すように、アプリケーション画面６の前面に表示される。そして、ユーザのコンピュータ装置２への所定の入力指示（ＯＫボタンのクリック）後は、第２署名時刻情報及び第２署名記入時間、第２署名に記入されたストローク情報及び申込受付欄４１２に記入されたストローク情報を削除または無効化し、第２署名記入欄６２１のハイライト表示６０５を実行する。
【０１４０】
［誘導制御処理を含むデータ入力処理］
次に、図２３を用いてデータ入力システム１０における誘導制御処理を含むデータ入力処理の動作について説明する。なお、図２３は、データ入力システム１０における誘導制御処理を含むデータ入力処理の動作を示すフローチャートである。また、本動作は、コンピュータ装置２を基準として説明する。
【０１４１】
まず、コンピュータ装置２においては、入力手段２１を介して入力されたユーザの操作指示に基づいてアプリケーションプログラムを起動させると（ステップＳ２０１）、誘導制御部２４２は、告知書画像表示領域６０１に表示された告知書画像の注意事項の表示指示欄６１１に対してハイライト表示６０５を行う（ステップＳ２０２）（参照図９、６０５Ａ）。
【０１４２】
そして、ユーザが電子ペン１によって告知書４上に一のストロークを記入すると、電子ペン１は、この記入されたストロークの各記入情報をコンピュータ装置２に順次送信する（ステップＳ１０１）。具体的には、電子ペン１は、圧力センサ１０７によって検出した筆圧に基づいてペンダウンが検知されてユーザによるストロークの記入開始を認識すると、ＬＥＤ１０５及びＣＭＯＳカメラ１０６をオンにし、圧力センサ１０７によってペンアップが検出されてユーザによるストロークの終了を認識するまで、所定の時間間隔毎に告知書４のドットパターンを撮影し、当該撮影された画像毎に、ペンＩＤ、時刻情報及びＸ、Ｙ座標データ等を含む記入情報を生成して順次コンピュータ装置２に送信する。
【０１４３】
一方、コンピュータ装置２においては、電子ペン１より各記入情報（ストローク情報）が順次送信されると、電子ペン１から送信された記入情報の受信を開始する。なお、コンピュータ装置２は、記入情報を受信する毎に以下の動作を繰り返す。具体的には、ストローク描画処理部２４１は、受信手段２２を介して受信した記入情報をペンＩＤ毎に記憶手段２５に記憶させる（ステップＳ２０３）。
【０１４４】
次いで、ストローク描画処理部２４１は、記憶手段２５に記憶された座標定義情報を参照して、受信した記入情報のＸ、Ｙ座標データの座標が告知書４上のどの記入欄に属しているか又どの位置に当たるかを認識し、一のストロークの部分ストロークとして描画して告知書画像表示領域６０１の告知書画像上の対応する位置に重畳表示する（ステップＳ２０４）。
【０１４５】
次いで、送信手段２７は、受信した記入情報をサーバ装置３に送信する（ステップＳ２０５）。このとき、サーバ装置３は、受信した記入情報をペンＩＤ毎に所定のデータベースに蓄積する（ステップＳ３０１）。
【０１４６】
次いで、コンピュータ装置２においては、誘導制御部２４２は、受信した記入情報及び各種処理によって生成した各種データに基づいて誘導制御処理を実行する（ステップＳ２０６）。
【０１４７】
［誘導制御処理］
次に、図２４〜図２７の各図を用いてデータ入力システム１０において、告知書４へのユーザの記入を誘導する誘導制御処理の動作について説明する。なお、図２４〜図２７は、誘導制御処理を示すフローチャートである。
【０１４８】
はじめに、図２４を用いて図２３におけるステップＳ２０６で実行される誘導制御処理について説明する。
【０１４９】
まず、誘導制御部２４２は、電子ペン１による告知書４への記入が注意事項の表示指示欄４０１への記入であるか否かを判別する、すなわち、ステップＳ２０４でストローク描画処理部２４１が認識した、受信した記入情報の属するユーザエリアに対応する記入欄（「認識記入欄」）が、注意事項の表示指示欄４０１であるか否かを判別する（ステップＳ４０１）。
【０１５０】
認識記入欄が注意事項の表示指示欄４０１であると判別した場合には（ステップＳ４０１：Ｙｅｓ）、誘導制御部２４２は、お知らせ画像表示領域６０２に注意事項の確認映像を再生して表示する（ステップＳ４０２）（図１２、６０２Ａを参照）。そして、誘導制御部２４２は、「確認映像の再生完了」を示すフラグ情報（以下、「確認映像の再生完了フラグ」ともいう。）を記憶手段２５に記憶する（ステップＳ４０３）。
【０１５１】
次いで、誘導制御部２４２は、ハイライト更新処理を実行してアプリケーション画面６における告知書画像表示領域６０１に対してハイライト表示６０５を行い（ステップＳ４０４）、本動作を終了させる。なお、ハイライト更新処理の動作の詳細については後述する。
【０１５２】
一方、ステップＳ４０１の処理において、認識記入欄が注意事項の表示指示欄４０１ではないと判別した場合には（ステップＳ４０１：Ｎｏ）、誘導制御部２４２は、注意事項の確認映像が再生完了しているか否かを判断する（ステップＳ４１１）。具体的には、誘導制御部２４２は、「確認映像の再生完了」を示すフラグ情報が記憶手段２５に記憶されているか否かを判断する。
【０１５３】
そして、誘導制御部２４２は、注意事項の確認映像が再生完了していないと判別した場合には（ステップＳ４１１：Ｎｏ）、注意事項を確認するよう警告するための画面表示及び警告音の出力を実行して（ステップＳ４２１）、本動作を終了する。なお、この注意事項の確認警告として、誘導制御部２４２は、認識記入欄に対応する告知書画像上の記入欄、例えば図１０に示すように、第１署名記入欄６１２に対して警告表示６０６Ａの実行及び警告用表示マーク６０７Ｂの表示を行ったり、警告映像６０２Ｂをお知らせ画像としてお知らせ画像表示領域６０２に表示したり、スピーカ２８から警告音を出力したりする（ステップＳ４２１）。
【０１５４】
一方、判別処理部２４２は、ステップＳ４１１の処理において、注意事項の確認映像が再生完了していると判別した場合には（ステップＳ４１１：Ｙｅｓ）、電子ペン１による告知書４への記入が第１署名記入欄４０２への記入であるか否かを判別する、すなわち、認識記入欄が第１署名記入欄４０２であるか否かを判別する（ステップＳ４１２）。
【０１５５】
このとき、誘導制御部２４２は、認識記入欄が第１署名記入欄４０２であると判別した場合には（ステップＳ４１２：Ｙｅｓ）、ステップＳ４１３の処理に移行し、認識記入欄が第１署名記入欄４０２への記入でないと判別した場合には（ステップＳ４１２：Ｎｏ）、ステップＳ４３１の処理に移行する。
【０１５６】
誘導制御部２４２は、認識記入欄が第１署名記入欄４０２であると判別した場合には（ステップＳ４１２：Ｙｅｓ）、第１署名記入開始時刻が記憶手段２５に記憶されているか否かを判断する（ステップ４１３）。誘導制御部２４２は、第１署名記入開始時刻が記憶手段２５に記憶されていないと判断した場合には（ステップＳ４１３：Ｎｏ）、受信した記入情報に含まれる時刻情報を第１署名記入開始時刻として記憶手段２５に記憶する（ステップＳ４１４）。さらに、誘導制御部２４２は、受信した記入情報に含まれる時刻情報を第１署名記入終了時刻として記憶手段２５に記憶して（ステップＳ４１５）、本動作を終了させる。
【０１５７】
一方、誘導制御部２４２は、ステップＳ４１３の処理において、第１署名記入開始時刻が記憶手段２５に記憶されていると判断した場合には（ステップＳ４１３：Ｙｅｓ）、受信した記入情報の時刻情報を第１署名記入終了時刻として記憶手段２５に更新記憶する（ステップＳ４１６）。
【０１５８】
次いで、誘導制御部２４２は、ハイライト更新処理を実行してアプリケーション画面６における告知書画像表示領域６０１に対してハイライト表示６０５を行い（ステップＳ４１７）、本動作を終了させる。
【０１５９】
また、誘導制御部２４２は、ステップＳ４１２の処理において、認識記入欄が第１署名記入欄４０２への記入でないと判別した場合には（ステップＳ４１２：Ｎｏ）、第１署名時刻情報（第１署名記入開始時刻及び第１署名記入終了時刻）が記憶手段２５に記憶されているか否かを判断する、すなわち、第１署名記入欄４０２に記入されているか否かを判断する（ステップＳ４３１）。誘導制御部２４２は、第１署名時刻情報が記憶手段２５に記憶されていると判断した場合には（ステップＳ４３１：Ｙｅｓ）、図２５のステップＳ６０１の処理に移行する。一方、第１署名時刻情報が記憶手段２５に記憶されていないと判断した場合には（ステップＳ４３１：Ｎｏ）、誘導制御部２４２は、第１署名を記入するよう警告するための画面表示及び警告音の出力を実行して（ステップＳ４３２）、本動作を終了する。なお、この第１署名記入警告として、誘導制御部２４２は、上述の注意事項の確認警告と同様に、認識記入欄に対応する告知書画像上の記入欄に対して警告表示６０６の実行及び警告用表示マーク６０７の表示を行ったり、警告映像をお知らせ画像としてお知らせ画像表示領域６０２に表示したり、スピーカ２８から警告音を出力したりする（ステップＳ４３２）。
【０１６０】
次に、図２５を用いて、図２４のステップＳ４３１において第１署名時刻情報が記憶手段２５に記憶されていると判断された後の誘導制御処理について説明する。
【０１６１】
まず、誘導制御部２４２は、電子ペン１による告知書４への記入が「はい」選択欄４０３への記入であるか否かを判別する、すなわち、認識記入欄が「はい」選択欄４０３であるか否かを判別する（ステップＳ６０１）。誘導制御部２４２は、認識記入欄が「はい」選択欄４０３であると判別した場合には（ステップＳ６０１：Ｙｅｓ）、ステップＳ６０２の処理に移行し、認識記入欄が「はい」選択欄４０３でないと判別した場合には（ステップＳ６０１：Ｎｏ）、ステップＳ６１１の処理に移行する。
【０１６２】
誘導制御部２４２は、ステップＳ６０１の処理において、認識記入欄が「はい」選択欄４０３であると判別した場合には（ステップＳ６０１：Ｙｅｓ）、アプリケーション画面６における告知書画像上の「いいえ」選択欄６１４を選択表示している状態か否かを判断する（ステップＳ６０２）。誘導制御部２４２は、「いいえ」選択欄６１４を選択表示していないと判断した場合には（ステップＳ６０２：Ｎｏ）、ステップＳ６０５の処理に移行する。
【０１６３】
一方、誘導制御部２４２は、「いいえ」選択欄６１４を選択表示していると判断した場合には、「いいえ」選択欄６１４の選択表示を解除するとともに（ステップＳ６０３）、病名記入欄６１５、選択指示欄６１６〜６１９及び選択決定欄６２０上に形成された「×」印の記入不要マーク６０９の表示を解除する（ステップＳ６０４）。
【０１６４】
次いで、誘導制御部２４２は、「はい」選択欄６１３に対して選択表示６０８Ａを行うとともに（参照図１３）、選択音をスピーカ２８から出力する（ステップＳ６０５）。なお、選択音は、選択された記入欄ごとに異なる音声情報としても、同じ音声情報としてもよい。
【０１６５】
次いで、誘導制御部２４２は、アプリケーション画面６における選択入力表示領域６０３にナビゲーション画面の初期画像を表示させる（ステップＳ６０６）（参照図１３）。このとき、誘導制御部２４２は、お知らせ画像表示領域６０２に病名を記入または選択するよう促すお知らせ画像６０２Ｃを表示させる。
【０１６６】
次いで、誘導制御部２４２は、ハイライト更新処理を実行してアプリケーション画面６における告知書画像表示領域６０１の所定の記入欄、すなわち、病名記入欄６１５、選択指示欄６１６〜６１９及び選択決定欄６２０に対してハイライト表示６０５Ｄを行い（ステップＳ６０７）（参照図１３）、本動作を終了させる。
【０１６７】
一方、誘導制御部２４２は、ステップＳ６０１の処理において、認識記入欄が「はい」選択欄４０３でないと判別した場合には（ステップＳ６０１：Ｎｏ）、電子ペン１による告知書４への記入が「いいえ」選択欄４０４への記入であるか否かを判別する、すなわち、認識記入欄が「いいえ」選択欄４０４であるか否かを判別する（ステップＳ６１１）。誘導制御部２４２は、認識記入欄が「いいえ」選択欄４０４であると判別した場合には（ステップＳ６１１：Ｙｅｓ）、ステップＳ６１２の処理に移行し、認識記入欄が「いいえ」選択欄４０４でないと判別した場合には（ステップＳ６１１：Ｎｏ）、ステップＳ６２１の処理に移行する。
【０１６８】
誘導制御部２４２は、ステップＳ６１１の処理において、認識記入欄が「いいえ」選択欄４０４であると判別した場合には（ステップＳ６１１：Ｙｅｓ）、アプリケーション画面６における告知書画像上の「はい」選択欄６１３を選択表示している状態か否かを判断する（ステップＳ６１２）。誘導制御部２４２は、「はい」選択欄６１３を選択表示していないと判断した場合には（ステップＳ６１２：Ｎｏ）、ステップＳ６１５の処理に移行する。
【０１６９】
一方、誘導制御部２４２は、「はい」選択欄６１３を選択表示していると判断した場合には、「はい」選択欄６１３の選択表示を解除するとともに（ステップＳ６１３）、選択入力表示領域６０３におけるナビゲーション画面の表示を解除する（ステップＳ６１４）。
【０１７０】
次いで、誘導制御部２４２は、「いいえ」選択欄６１４に対して選択表示６０８Ｂを行うとともに（参照図１４）、選択音をコンピュータ装置２のスピーカ２８から出力する（ステップＳ６１５）。
【０１７１】
次いで、誘導制御部２４２は、病名記入欄６１５、選択指示欄６１６〜６１９及び選択決定欄６２０上に「×」印の記入不要マーク６０９を表示させる（ステップＳ６１６）（参照図１４）。このとき、誘導制御部２４２は、病名の記入や選択が不要なことを伝えるお知らせ画像６０２Ｄを表示させる。
【０１７２】
次いで、誘導制御部２４２は、ハイライト更新処理を実行して告知書画像表示領域６０１の所定の記入欄、すなわち、第２署名記入欄６２１に対してハイライト表示６０５Ｅを行い（ステップＳ６１７）（参照図１４）、本動作を終了させる。
【０１７３】
他方、誘導制御部２４２は、ステップＳ６１１の処理において、認識記入欄が「いいえ」選択欄４０４でないと判別された場合には（ステップＳ６１１：Ｎｏ）、「はい」選択欄６１３又は「いいえ」選択欄６１４が選択表示されているか否かを判断する（ステップＳ６２１）。このとき、誘導制御部２４２は、「はい」選択欄６１３又は「いいえ」選択欄６１４が選択表示されていると判断した場合には（ステップＳ６２１：Ｙｅｓ）、図２６のステップＳ７０１の処理に移行する。一方、「はい」選択欄６１３及び「いいえ」選択欄６１４がどちらも選択表示されていないと判断した場合には（ステップＳ６２１：Ｎｏ）、誘導制御部２４２は、「はい」又は「いいえ」を選択するよう警告するための画面表示及び警告音の出力を実行して（ステップＳ６２２）、本動作を終了する。「はい」「いいえ」選択警告として、誘導制御部２４２は、認識記入欄に対応する告知書画像上の記入欄に対して警告表示６０６の実行、及び警告用表示マーク６０７の表示を行ったり、警告映像をお知らせ画像としてお知らせ画像表示領域６０２に表示したり、スピーカ２８から警告音を出力したりする（ステップＳ６２２）。
【０１７４】
次に、図２６を用いて、図２５のステップＳ６２１において「はい」選択欄６１３又は「いいえ」選択欄６１４が選択されていると判断した後の誘導制御処理について説明する。
【０１７５】
まず、誘導制御部２４２は、電子ペン１による告知書４への記入が病名記入欄４０５への記入であるか否かを判別する、すなわち、認識記入欄が、病名記入欄４０５であるか否かを判別する（ステップＳ７０１）。
【０１７６】
認識記入欄が病名記入欄４０５への記入であると判別した場合に（ステップＳ７０１：Ｙｅｓ）、誘導制御部２４２は、受信した記入情報を病名情報として記憶手段２５に記憶する（ステップＳ７０２）。このとき、誘導制御部２４２は、以前に受信した記入情報の中で、ステップＳ７０２の処理によって記憶された記入情報がある場合には、その記入情報とともに今回受信した記入情報を記憶手段２５に記憶する。
【０１７７】
次いで、誘導制御部２４２は、ハイライト更新処理を実行してアプリケーション画面６における告知書画像表示領域６０１に対してハイライト表示６０５Ｅを行い（ステップＳ７０３）（参照図１５）、本動作を終了させる。
【０１７８】
一方、判別処理部２４２は、ステップＳ７０１の処理において、認識記入欄が病名記入欄４０５への記入でないと判別した場合には（ステップＳ７０１：Ｎｏ）、電子ペン１による告知書４への記入が選択指示欄４０６〜４０９の何れかへの記入であるか否かを判別する、すなわち、認識記入欄が選択指示欄４０６〜４０９の何れかであるか否かを判別する（ステップＳ７１１）。
【０１７９】
このとき、誘導制御部２４２は、認識記入欄が選択指示欄４０６〜４０９の何れかへの記入であると判別した場合には（ステップＳ７１１：Ｙｅｓ）、病名選択入力処理を実行する（ステップＳ７１２）（参照図１７、図１８）。具体的には、誘導制御部２４２は、該当する選択指示欄４０６〜４０９の何れかに基づいて、病気のカテゴリの選択または各カテゴリの病名の選択を行う。すなわち、誘導制御部２４２は、認識記入欄が左方向選択指示欄４０７と判断された場合には、表示されているカテゴリから一つ左のカテゴリに切り換えてナビゲーション画面上に表示させる。また、誘導制御部２４２は、当該認識記入欄が右方向選択指示欄４０８と判断された場合には、表示されているカテゴリから一つ右のカテゴリに切り換えてナビゲーション画面上に表示させる。なお、誘導制御部２４２は、切り換えられたカテゴリとともに当該カテゴリに属する病名の一覧も遷移させてナビゲーション画面上に表示させる。そして、誘導制御部２４２は、当該認識記入欄が上方向選択指示欄４０６と判断された場合には、選択されたカテゴリの病名の一覧に対してナビゲーション画面上のカーソル（または太文字などの強調表示）を一つ上の病名に移動させる。また、誘導制御部２４２は、当該認識記入欄が下方向選択指示欄４０９と判断された場合には、誘導制御部２４２は、選択されたカテゴリの病名の一覧に対してナビゲーション画面上のカーソル（または太文字などの強調表示）を一つ下の病名に移動させる。
【０１８０】
他方、誘導制御部２４２は、ステップＳ７１１の処理において、認識記入欄が選択指示欄４０６〜４０９でないと判別した場合には（ステップＳ７１１：Ｎｏ）、電子ペン１による告知書４への記入が選択決定欄４１０への記入であるか否かを判別する、すなわち、認識記入欄が選択決定欄４１０の何れかであるか否かを判別する（ステップＳ７２１）。
【０１８１】
このとき、誘導制御部２４２は、認識記入欄が選択決定欄４１０であると判別した場合には（ステップＳ７２１：Ｙｅｓ）、ステップＳ７２２の処理に移行し、認識記入欄が選択決定欄４１０への記入でないと判別した場合には（ステップＳ７２１：Ｎｏ）、ステップＳ７３１の処理に移行する。
【０１８２】
誘導制御部２４２は、認識記入欄が選択決定欄４１０であると判別した場合には（ステップＳ７２１：Ｙｅｓ）、選択入力表示領域６０３に病名が選択されている状態か否かを判断する（ステップＳ７２２）。具体的には、誘導制御部２４２は、ナビゲーション画面上のカーソル内に病名が選択表示されているか（または太文字などによって強調表示されているか）否かを判断する。そして、誘導制御部２４２は、選択入力表示領域６０３に病名が選択表示されていないと判別した場合には（ステップＳ７２２：Ｎｏ）、病名を選択するよう警告するための画面表示及び警告音の出力を実行して（ステップＳ７２３）、本動作を終了する。この病名選択警告として、誘導制御部２４２は、認識記入欄に対応する告知書画像上の記入欄に対して警告表示６０６の実行、及び警告用表示マーク６０７の表示を行ったり、お知らせ画像表示領域６０２に警告映像をお知らせ画像として表示したり、スピーカ２８から警告音を出力したりする（ステップＳ７２３）。
【０１８３】
一方、誘導制御部２４２は、ステップＳ７２２の処理において、選択入力表示領域６０３に病名が選択表示されていると判断した場合には（ステップＳ７２２：Ｙｅｓ）、選択入力表示領域６０３のナビゲーション画面で選択されている病名（カーソルによって選択または太文字などによって強調表示されている病名）を病名情報として確定し、当該確定した病名情報を記憶手段２５に記憶するとともに、選択入力表示領域６０３に表示されている当該病名の選択表示欄に対して選択表示６０８Ｃを行う（ステップＳ７２４）（参照図１９）。
【０１８４】
次いで、誘導制御部２４２は、お知らせ画像表示領域に、決定した病名の確認及び第２署名記入欄４１２への署名を誘導するためのお知らせ画像６０２Ｅを表示させる署名誘導表示を行う（ステップＳ７２５）（参照図１９）。
【０１８５】
次いで、誘導制御部２４２は、ハイライト更新処理を実行して告知書画像表示領域６０１の所定の領域、すなわち、第２署名記入欄６２１に対してハイライト表示６０５Ｅを行い（ステップＳ７２６（図１９を参照））、本動作を終了させる。
【０１８６】
また、誘導制御部２４２は、ステップＳ７２１の処理において、認識記入欄が選択決定欄４１０でないと判別した場合には、病名記入欄４０５が記入済みであるか、または、病名選択入力処理によって病名が確定しているかを、記憶手段２５に病名情報が記憶されているか否かによって判断する（ステップＳ７３１）。このとき、誘導制御部２４２は、病名記入欄４０５が記入済み、または、病名が確定していると判断した場合には（ステップＳ７３１：Ｙｅｓ）、図２７のステップＳ８０１の処理に移行する。一方、誘導制御部２４２は、病名記入欄４０５が記入済みでもなく、病名が確定してもいないと判断した場合には（ステップＳ７３１：Ｎｏ）、アプリケーション画面６における告知書画像上の「いいえ」選択欄６１４を選択表示している状態か否かを判断する（ステップＳ７３２）。誘導制御部２４２は、「いいえ」選択欄６１４を選択表示していると判断した場合には（ステップＳ７３２：Ｙｅｓ）、図２７のステップＳ８０１の処理に移行する。一方、誘導制御部２４２は、「いいえ」選択欄６１４を選択表示していないと判断した場合には（ステップＳ７３２：Ｎｏ）、病名を記入するか病名選択を決定するよう警告するための画面表示及び警告音の出力を実行して（ステップＳ７３３）、本動作を終了する。病名記入／決定警告として、誘導制御部２４２は、認識記入欄に対応する告知書画像上の記入欄（例えば、第２署名記入欄６２１）に対して警告表示６０６Ｂの実行、及び警告用表示マーク６０７Ｂの表示を行ったり、お知らせ画像表示領域６０２に警告映像をお知らせ画像として表示したり、スピーカ２８から警告音を出力したりする（ステップＳ７３３）（参照図１１）。
【０１８７】
次に、図２７を用いて、図２６のステップＳ７３１において病名記入欄４０５が記入済み、若しくは、病名が確定していると判断した後、又は、ステップＳ７３２において「いいえ」選択欄６１４を選択表示していると判断した後の誘導制御処理について説明する。
【０１８８】
まず、判別処理部２４２は、受信したストローク情報に基づいて、電子ペン１による告知書４への記入が第２署名記入欄４１１への記入であるか否かを判別する、すなわち、選択記入欄が第２署名記入欄４１１であるか否かを判別する（ステップＳ８０１）。このとき、判別処理部２４２は、認識記入欄が第２署名記入欄４１１であると判別した場合には（ステップＳ８０１：Ｙｅｓ）、ステップＳ８０２の処理に移行し、認識記入欄が第２署名記入欄４１１でないと判別した場合には（ステップＳ８０１：Ｎｏ）、ステップＳ８１１の処理に移行する。
【０１８９】
認識記入欄が第２署名記入欄４１１であると判別した場合には（ステップＳ８０１：Ｙｅｓ）、誘導制御部２４３は、第２署名記入開始時刻が記憶手段２５に記憶されているか否かを判断する（ステップ８０２）。誘導制御部２４３は、第２署名記入開始時刻が記憶手段２５に記憶されていないと判断した場合には（ステップＳ８０２：Ｎｏ）、受信した記入情報に含まれる時刻情報を第２署名記入開始時刻として記憶手段２５に記憶する（ステップＳ８０３）。さらに、誘導制御部４２４は、受信した記入情報に含まれる時刻情報を第２署名記入終了時刻として記憶手段２５に記憶し（ステップＳ８０４）、本動作を終了させる。
【０１９０】
一方、誘導制御部２４２は、ステップＳ８０２の処理において、第２署名記入開始時刻が記憶手段２５に記憶されていると判断した場合には（ステップＳ８０２：Ｙｅｓ）、受信した記入情報の時刻情報を第２署名記入終了時刻として記憶手段２５に更新記憶する（ステップＳ８０５）。
【０１９１】
次いで、誘導制御部２４２は、ハイライト更新処理を実行して告知書画像表示領域６０１の所定の記入欄、すなわち、申込受付欄６２２に対してハイライト表示６０５Ｆを行い（ステップＳ８０６）（参照図２０）、本動作を終了させる。
【０１９２】
また、誘導制御部２４２は、ステップＳ８０１の処理において、電子ペン１による告知書４への記入が第２署名記入欄４１１への記入でないと判別した場合には（ステップＳ８０１：Ｎｏ）、第２署名時刻情報（第２署名記入開始時刻及び第２署名記入終了時刻）が記憶手段２５に記憶されているか否かを判断する、すなわち、第２署名記入欄４１１が記入済みであるか否かを判断する（ステップＳ８１１）。誘導制御部２４２は、第２署名時刻情報が記憶手段２５に記憶されていると判別した場合には（ステップＳ８１１：Ｙｅｓ）、ステップＳ８２１の処理に移行する。一方、第２署名時刻情報が記憶手段２５に記憶されていないと判断した場合には（ステップＳ８１１：Ｎｏ）、誘導制御部２４２は、第２署名を記入するよう警告するための画面表示及び警告音の出力を実行して（ステップＳ８１２）、本動作を終了する。この第２署名記入警告として、誘導制御部２４２は、認識記入欄に対応する告知書画像上の記入欄に対して警告表示６０６の実行、及び警告用表示マーク６０７の表示を行ったり、警告映像をお知らせ画像としてお知らせ画像表示領域６０２に表示したり、スピーカ２８から警告音を出力したりする（ステップＳ８１２）。
【０１９３】
他方、誘導制御部２４２は、ステップＳ８１１の処理において、第２署名時刻情報が記憶手段２５に記憶されていると判断した場合には（ステップＳ８１１：Ｙｅｓ）、電子ペン１による告知書４への記入が申込受付欄４１２への記入であるか否かを判別する、すなわち、認識記入欄が申込受付欄４１２であるか否かを判別する（ステップＳ８２１）。このとき、判別処理部２４２は、認識記入欄が申込受付欄４１２でないと判別した場合には（ステップＳ８２１：Ｎｏ）、本動作を終了させる。
【０１９４】
一方、誘導制御部２４３は、ステップＳ８２１の処理において、選択記入欄が申込受付欄４１２であると判別した場合には（ステップＳ８２１：Ｙｅｓ）、署名整合判定処理を実行する（ステップＳ８２２）。なお、署名整合判定処理の動作の詳細については後述する。
【０１９５】
次いで、誘導制御部２４３は、アプリケーション画面６における告知書画像表示領域６０１の所定の記入欄に対してハイライト表示６０５をするためのハイライト更新処理を実行して（ステップＳ８２３）、本動作を終了させる。なお、ハイライト更新処理の動作の詳細については後述する。
【０１９６】
［ハイライト更新処理］
次に、図２８を用いてデータ入力システム１０における誘導制御処理において実行されるハイライト更新処理の動作について説明する。なお、図２８は、ハイライト更新処理を示すフローチャートである。
【０１９７】
誘導制御処理のステップＳ４０４、ステップＳ４１７、ステップＳ６０７、ステップＳ６１７、ステップＳ７０３、ステップＳ７２６、ステップＳ８０６及びステップＳ８２３においてハイライト更新処理が開始されると、誘導制御部２４３は、まず、全てのハイライト表示６０５を解除する（ステップＳ５０１）。
【０１９８】
次いで、誘導制御部２４３は、「確認映像の再生完了」を示すフラグ情報が記憶手段２５に記憶されているか否かに基づいて、注意事項の表示指示欄４０１が記入済みであるか否かを判断する（ステップＳ５０２）。このとき、誘導制御部２４３は、注意事項の表示指示欄４０１が記入済みでないと判断した場合には（ステップＳ５０２：Ｎｏ）、告知書画像表示領域６０１における注意事項の表示指示欄６１１に対してハイライト表示６０５Ａを実行し（ステップＳ５０３）（参照図９）、本動作を終了させる。
【０１９９】
一方、誘導制御部２４３は、注意事項の表示指示欄４０１が記入済みであると判断した場合には（ステップＳ５０２：Ｙｅｓ）、記憶手段２５に第１署名時刻情報が記憶されているか否かに基づいて、第１署名記入欄４０２が記入済みであるか否かを判断する（ステップＳ５０４）。このとき、誘導制御部２４３は、第１署名記入欄４０２が記入済みでないと判断した場合には（ステップＳ５０４：Ｎｏ）、告知書画像表示領域６０１における第１署名記入欄６１２に対してハイライト表示６０５を実行し（ステップＳ５０５）、本動作を終了させる。
一方、誘導制御部２４３は、第１署名記入欄４０２が記入済みであると判断した場合には（ステップＳ５０４：Ｙｅｓ）、「いいえ」選択欄４０４が記入済みであるか否かを判断する記入済み判定を実行する（ステップＳ５０６）。このとき、誘導制御部２４３は、「いいえ」選択欄４０４が記入済みであると判断した場合には（ステップＳ５０６：Ｙｅｓ）、ステップＳ５１１の処理に移行する。
【０２００】
一方、誘導制御部２４３は、「いいえ」選択欄４０４が記入済みでないと判断した場合には（ステップＳ５０６：Ｎｏ）、「はい」選択欄４０３が記入済みであるか否かを判断する記入済み判定を実行する（ステップＳ５０７）。このとき、誘導制御部２４３は、「はい」選択欄４０３が記入済みでないと判断した場合には（ステップＳ５０７：Ｎｏ）、告知書画像表示領域６０１における「はい」選択欄６１３及び「いいえ」選択欄６１４に対してハイライト表示６０５を実行し（ステップＳ５０８）、本動作を終了させる。
他方、誘導制御部２４３は、「はい」選択欄４０３が記入済みであると判断した場合には（ステップＳ５０７：Ｙｅｓ）、記憶手段２５に病名情報が記憶されているか否かに基づいて、病名記入欄４０５または選択決定欄４１０が記入済みであるか否かを判断する（ステップＳ５０９）。このとき、誘導制御部２４３は、病名記入欄４０５及び選択決定欄４１０の何れも記入済みでないと判断した場合には（ステップＳ５０９：Ｎｏ）、告知書画像表示領域６０１における病名記入欄６１５、選択指示欄６１６〜６１９及び選択決定欄６２０に対してハイライト表示６０５Ｄを実行し（ステップＳ５１０（図１３を参照））、本動作を終了させる。誘導制御部２４３は、病名記入欄４０５または選択決定欄４１０が記入済みであると判断した場合には、ステップＳ５１１の処理に移行する。
【０２０１】
一方、誘導制御部２４３は、ステップＳ５０６の処理において、「いいえ」選択欄４０４が記入済みであると判断した場合、及び、ステップＳ５０９の処理において、病名記入欄４０５または選択決定欄４１０が記入済みであると判断した場合には（ステップＳ５０９：Ｙｅｓ）、記憶手段２５に第２署名時刻情報が記憶されているか否かに基づいて、第２署名記入欄４１１が記入済みであるか否かを判断する（ステップＳ５１１）。このとき、誘導制御部２４３は、第２署名記入欄４１１が記入済みでないと判断した場合には（ステップＳ５１１：Ｎｏ）、告知書画像表示領域６０１における第２署名記入欄６２１に対してハイライト表示６０５Ｅを実行し（ステップＳ５１２）（参照図１４、図１５及び図１９）、本動作を終了させる。
一方、誘導制御部２４３は、第２署名記入欄４１１が記入済みであると判断した場合には（ステップＳ５１１：Ｙｅｓ）、申込受付欄４１２が記入済みであるか否かを判断する記入済み判定を実行する（ステップＳ５１３）。このとき、誘導制御部２４３は、申込受付欄４１２が記入済みでないと判断した場合には（ステップＳ５１３：Ｎｏ）、告知書画像表示領域６０１における申込受付欄６２２に対してハイライト表示６０５Ｆを実行し（ステップＳ５１４）（参照図２０）、本動作を終了させる。
【０２０２】
［署名整合判定処理］
次に、図２９を用いてデータ入力システム１０における誘導制御処理において実行される署名整合判定処理の動作について説明する。なお、図２９は、署名整合判定処理を示すフローチャートである。
【０２０３】
誘導制御処理のステップＳ８２２において署名整合判定処理が開始されると、誘導制御部２４３は、まず、記憶手段２５に記憶された第１署名時刻情報を読み出すとともに、第１署名時刻情報における第１署名記入開始時刻から第１署名記入終了時刻までの経過時間を演算し、当該経過時間を第１署名記入時間として記憶手段２５に記憶する（ステップＳ９０１）。
【０２０４】
次いで、誘導制御部２４３は、記憶手段２５に記憶された第２署名時刻情報を読み出すとともに、第２署名時刻情報における第２署名記入開始時刻から第２署名記入終了時刻までの経過時間を演算し、当該経過時間を第２署名記入時間として記憶手段２５に記憶する（ステップＳ９０２）。
【０２０５】
次いで、誘導制御部２４３は、第１署名記入時間と第２署名記入時間とを比較してその差分が予め定められた閾値以下であるか否かを判定する（ステップＳ９０３）。このとき、誘導制御部２４３は、第１署名記入時間と第２署名記入時間の差分が予め定められた閾値以下であると判定した場合には（ステップＳ９０３：Ｙｅｓ）、所定のデータを受付データとして記憶手段２５に記憶するとともに（ステップＳ９０４）、申込受付の完了の旨をポップアップ画面８によってユーザに通知して（ステップＳ９０５）（図２１を参照）、本動作を終了させる。なお、誘導制御部２４３は、ステップＳ９０４の処理において受付データを記憶手段２５に記憶すると、当該受付データを送信手段２７を介してサーバ装置３に送信する。
【０２０６】
一方、誘導制御部２４３は、ステップＳ９０３の処理において、第１署名記入時間と第２署名記入時間の差分が閾値より大きいと判定した場合には（ステップＳ９０３：Ｎｏ）、第２署名が第１署名と異なると判断して署名エラーを警告するための画面表示及び警告音の出力を実行する（ステップＳ９０６）。なお、この署名エラー警告の画面表示は、ポップアップ画面７によって実行する（図２２を参照）。
【０２０７】
次いで、誘導制御部２４３は、記憶手段２５に記憶された第２署名時刻情報及び第２署名記入時間を削除する（またはエラーデータとして無効化する）（ステップＳ９０７）とともに、第２署名記入欄４１１に記入されたストローク情報及び申込受付欄４１２に記入されたストローク情報を記憶手段２５から削除して（ステップＳ９０８）、本動作を終了させる。なお、本動作（署名整合判定処理）が終了すると、誘導制御部２４３は、誘導制御処理のステップＳ８２３の処理を実行する。また、ステップＳ９０７の処理において、誘導制御部２４３は、送信手段２７を介してサーバ装置３の図示しないデータベースに既に蓄積されている該当するペンＩＤのストローク情報を削除または無効化する制御を行う。
【０２０８】
［実施形態の作用効果］
以上のように、データ入力システム１０は、電子ペン１による選択指示欄４０６〜４０９への記入によって複数の病名の中から一の病名を表示手段２６に選択表示させることができるとともに、選択表示された病名を受付データとして記憶することができる。したがって、データ入力システム１０は、所定の申込を行う際に、病名を個人情報として提供しなければならない場合であっても、告知書４に直接記載せずに、病名をデータとして入力させて記憶させることができるので、告知書４への記入事項をデータ化する利便性を確保しつつ、告知書４からの情報の漏洩を防止して個人情報である病名の情報を確実に保護することができる。
【０２０９】
また、データ入力システム１０は、カテゴリ選択及び病名選択（項目選択）を実行することによって一の個人情報である病名を選択することができるので、多くの病名から一の病名を容易にサーチ可能となる。したがって、データ入力システム１０は、選択入力に用いる個人情報の選択肢を多くすることができるので、ユーザが入力を所望する病名情報（個人情報）と実際に選択可能な病名情報（個人情報）とのギャップを埋め、的確な病名情報（個人情報）を取得することができる。
【０２１０】
また、データ入力システム１０は、個人情報である病名の告知書４への記入が可能な場合には、電子ペン１によって病名記入欄４０５に記入をし、当該病名の告知書４への記入を希望しない場合には、電子ペン１による選択指示欄４０６〜４０９への記入によって複数の病名の中から一の病名を選択することができるので、告知書４における病名の情報漏洩からの保護を希望する場合に又は記入すべき病名を忘れてしまった場合など、病名を受付データとして取得する際にユーザの嗜好または状況に合わせて当該病名を入力させることができる。
【０２１１】
また、データ入力システム１０は、ハイライト表示６０５などの誘導制御処理によって、第１署名記入欄４０２及び第２署名記入欄４１１へのユーザの署名を確実に実行させることができるので、ユーザデータとして取得した情報の信頼性を保証することができる。
【０２１２】
また、種々処理を含む誘導制御処理を実行することによって、告知書４へのユーザの記入を迅速にかつ確実に実行させることができるとともに、ユーザデータである取得した受付データをサーバ装置３に蓄積し、一括で受付データを管理することによって、受付データの漏洩を防止し、個人情報である病名情報を含めて受付データの保護を高度に行うことができる。
【０２１３】
また、データ入力システム１０は、電子ペン１による第１署名記入欄４０２への記入が実行されたときから第２署名記入欄４１１への記入が実行されるときまでに告知書４に記入されたストローク情報及び病名情報などの種々の情報を受付データとすることができる。通常、第１署名と第２署名が同一のユーザであることにより、その間に記入された事項についても同一のユーザが記入したものであると推認することができる。したがって、データ入力システム１０は、告知書４に所定事項を記入したユーザと第１署名及び第２署名をしたユーザの同一性を確保し、受付データの信頼度を向上させることができる。
【０２１４】
特に、データ入力システム１０は、第１署名と第２署名の記入する際の時間長によって第１署名と２署名の同一性を容易に判断することができるので、第１署名と第２署名の同一性をも確保することができる。
【０２１５】
また、データ入力システム１０は、第１署名と第２署名の同一性が否定された場合であっても、第２署名を再入力させることができるので、同一性の判断においてシステムエラーなどの署名自体に起因しない原因が生じた場合であっても、告知書４に記入した内容を無駄にすることなく利用することができる。
【０２１６】
［変形例］
次に、データ入力システム１０の変形例について説明する。
【０２１７】
変形例１は、上記実施形態において、第１署名と第２署名の記入時間に基づいて第１署名と第２署名の同一性を判断している点に代えて、または、それとともに、第１署名と第２署名のそれぞれの筆跡を解析して当該第１署名と第２署名の同一性を判断する。この場合には、処理手段２４は、第１署名記入欄４０２及び第２署名記入欄４１１に記入されたストローク情報に基づいて、各ストロークの「トメ」、「ハネ」、「点」及び「形状」などの筆跡及び筆圧を解析し、第１署名と第２署名の同一性を判断する。したがって、変形例１のデータ入力システム１０は、第１署名と第２署名の同一性をより確実に判断することができ、第１署名と第２署名の間に記入事項を記入したユーザの同一性を確保して申込データの信頼度を向上させることができる。
【０２１８】
変形例２は、上記実施形態において、第１署名と第２署名の同一性が否定された際に、第２署名の再入力を促している点に代えて、新たな告知書４への記入を促す。この場合には、誘導制御部２４３は、告知書４の電子ペン１による記入によって記憶手段２５に記憶された種々のデータを削除して誘導制御処理を最初から実行し直す。なお、この場合には、誘導制御部２４２は、誘導制御処理上において記憶手段２５に記憶された情報及び各ストローク情報を削除してもよいし、当該各情報を無効化してエラーデータとしてその記憶を維持してもよい。したがって、変形例２のデータ入力システム１０は、第１署名と第２署名の同一性が否定された場合には、告知書４への再記入をさせることができるので、第２署名の再入力だけでは対応できない場合であっても、確実に申込を行うことができるとともに、告知書４への記入が乱雑になることなく、所定事項の入力の際に用いるだけでなく記入された情報を保持するという告知書４の本来の役割も十分に発揮させることができる。
【０２１９】
変形例３は、上記実施形態において、電子ペン１からコンピュータ装置２へ即時的かつ逐次的に記入情報を送信する点に代えて、逐次的にストローク情報をサーバ装置３に送信する。この場合には、誘導制御部２４２は、第１及び第２署名記入処理において、ストローク情報に含まれるペンダウン情報ＰＤの時刻を第１及び第２署名記入開始時刻として、ストローク情報に含まれるペンアップ情報ＰＵの時刻を第１及び第２署名記入終了時刻として、記憶手段２５に記憶する。このとき、既に第１ないし第２署名時刻情報が既に記憶手段２５に記憶されている場合は、第１ないし第２署名記入開始時刻は更新せずに、第１ないし第２署名記入終了時刻のみ記憶手段２５に更新記憶する。
【０２２０】
変形例４は、上記実施形態において、記入情報を電子ペン１から受信される毎にサーバ装置３に送信する点に代えて、各記入欄への記入が終了する毎にサーバ装置３に送信する。この場合には、誘導制御部２４２は、認識記入欄が新たな記入欄に属するものと判定する毎に直前の記入欄に属するストローク情報をサーバ装置３に送信するようにしてもよい。例えば、誘導制御部２４２は、電子ペン１の記入が第１署名記入欄４０２から「はい」選択欄４０３に切り替わった際に、第１署名記入欄４０２に属するストローク情報をサーバ装置３に送信する。
【０２２１】
変形例５は、上記実施形態の記入済み判定において、記憶手段２５に同一記入欄における２以上のストローク情報が記憶されている際に（または２以上のストロークがカウントされた際に）、当該記入欄が記入済みであると判断する点に代えて、最初に記入欄にストロークが記入されたときから同一の記入欄にストロークが記入され続けて一定の時間を経過した際に、当該記入欄が記入済みであると判断する。この場合には、誘導制御部２４２は、各ストローク情報に含まれる時刻情報を用いるとともに、各記入欄毎に第１署名記入処理及び第２署名記入処理と同様に、記入開始時刻及び記入終了時刻を記憶手段２５に記憶し、記入済み判定を行う際に、該当する記入欄の記入終了時刻から記入開始時刻を減算して当該算出された時間が一定以上の場合に、当該記入欄が記入済みであると判断する。
【０２２２】
変形例６は、上記の実施形態において、記入すべき記入欄に対応する告知書画像上の記入欄に対してハイライト表示を実行している点に代えて、電子ペン１により記入中の記入欄に対してハイライト表示する。
【０２２３】
変形例７は、上記の実施形態において、誘導制御処理において実行される署名整合判定処理を省略する。この場合に、図２７のステップＳ８２１の処理において、受信した記入情報の認識記入欄が申込受付欄４１２であると判別された場合には、誘導制御部２４２は、ステップＳ８２２の処理を行うことなく、図２９のステップＳ９０４及びステップ９０５の処理を実行して図２７のステップ８２３の処理を実行する。
【０２２４】
変形例８は、上記の実施形態の病名選択処理において、誘導制御部２４２は、選択入力表示領域６０３に表示されたナビゲーション画面に従って、病気のカテゴリの選択または各カテゴリに属する病名情報の選択を行う際に、ナビゲーション画面に表示されているカテゴリ及び病名情報をランダムに表示させて選択処理を行うようにしてもよい。すなわち、誘導制御部２４２は、ステップS６０６の処理において、ナビゲーション画面を表示する際に、記憶手段２５に予め記憶されている病名データベースから病気のカテゴリと各カテゴリに対応付けられた複数の病名情報を読み出し、各カテゴリと各カテゴリに属する病名情報の関係を維持しつつ、ランダムな表示順で選択入力表示領域６０３に表示する。すなわち、例えば、カテゴリが選択入力表示領域６０３の左側で病名情報が右側またはそれらの左右の位置が反対に表示される。そして、誘導制御部２４２は、選択入力表示領域６０３に表示されたナビゲーション画面に従って、該当する選択指示欄４０６〜４０９、選択決定欄４１０の記入に基づき病気のカテゴリの選択または各カテゴリに属する病名の選択を行うようにしてもよい。この場合には、電子ペン１による告知書４上のストロークの軌跡（すなわち、筆跡）からユーザが選択した病名を特定することができなくなり、ユーザのプライバシーを保護することができる。
【０２２５】
なお、上記実施形態のデータ入力システム１０は、電子ペン１、コンピュータ装置２及びサーバ装置３を有するが、電子ペン１及びコンピュータ装置２によって形成するようにしてもよい。この場合に、サーバ装置３の機能をコンピュータ装置２で実現する。
【産業上の利用可能性】
【０２２６】
本発明は、生命保険などの保険の販売、スポーツ大会等の参加申込み、クレジットカード等の入会申込み等の各種個人情報が必要な申込に対して、申込書に記載された記入事項をデータ化するデータ入力システムなどで利用することができる。
【符号の説明】
【０２２７】
１  …  電子ペン
２  …  コンピュータ装置
３  …  サーバ装置
４  …  告知書
６  …  アプリケーション画面
７、８  …  ポップアップ画面
１０  …  データ入力システム
２１  …  入力手段
２２  …  受信手段
２４  …  処理手段
２５  …  記憶手段
２６  …  表示手段
２７  …  送信手段
１０１  …  筐体
１０２  …  開口部
１０３  …  ペン先部
１０４  …  ペン部
１０５  …  ＬＥＤ
１０６  …  ＣＭＯＳカメラ
１０７  …  圧力センサ
１０８  …  プロセッサ
１０９  …  メモリ
１１０  …  リアルタイムクロック
１１１  …  通信ユニット
１１２  …  バッテリー
２４１  …  ストローク描画処理部
２４２  …  判別処理部
２４３  …  誘導制御部
４０１、６１１  …  表示指示欄
４０２、６１２  …  署名記入欄
４０３、６１３  …  「はい」選択欄
４０４、６１４  …  「いいえ」選択欄
４０５、６１５  …  病名記入欄
４０６、６１６  …  上方向選択指示欄
４０７、６１７  …  左方向選択指示欄
４０８、６１８  …  右方向選択指示欄
４０９、６１９  …  下方向選択指示欄
４１０、６２０  …  選択決定欄
４１１、６２１  …  署名記入欄
４１２、６２２  …  申込受付欄
６０１  …  告知書画像表示領域
６０２  …  お知らせ画像表示領域
６０３  …  選択入力表示領域
６０５  …  ハイライト表示
６０６  …  警告表示
６０７  …  警告用表示マーク
６０８  …  選択表示
６０９  …  記入不要マーク
【図１】
0005505078.tif 000002
【図２】
0005505078.tif 000003
【図３】
0005505078.tif 000004
【図４】
0005505078.tif 000005
【図５】
0005505078.tif 000006
【図６】
0005505078.tif 000007
【図７】
0005505078.tif 000008
【図８】
0005505078.tif 000009
【図９】
0005505078.tif 000010
【図１０】
0005505078.tif 000011
【図１１】
0005505078.tif 000012
【図１２】
0005505078.tif 000013
【図１３】
0005505078.tif 000014
【図１４】
0005505078.tif 000015
【図１５】
0005505078.tif 000016
【図１６】
0005505078.tif 000017
【図１７】
0005505078.tif 000018
【図１８】
0005505078.tif 000019
【図１９】
0005505078.tif 000020
【図２０】
0005505078.tif 000021
【図２１】
0005505078.tif 000022
【図２２】
0005505078.tif 000023
【図２３】
0005505078.tif 000024
【図２４】
0005505078.tif 000025
【図２５】
0005505078.tif 000026
【図２６】
0005505078.tif 000027
【図２７】
0005505078.tif 000028
【図２８】
0005505078.tif 000029
【図２９】
0005505078.tif 000030